(57)【特許請求の範囲】
【請求項１】
かつらベースと該かつらベースに植設される毛髪とを含むかつらであって、
上記かつらベースが、左右側頭部側の周縁部及び後頭部側の周縁部を含んで複数の領域に区分され、
上記かつらベースに区分された領域に植設される毛髪が、領域毎に設定した所定の曲げ剛性値を有し、
上記周縁部に植設される毛髪が、装着者の頭皮から育成している自毛の曲げ剛性値とみなした３．４〜４．４×１０−３gf・cm２／本という値に対して、これと同程度と認められる±０．８×１０−３gf・cm２／本の範囲にある曲げ剛性値を有することを特徴とする、かつら。
【請求項２】
前記かつらベース上に区分された領域のうち該かつらベースの中心領域となる天頂部に近くなるにつれて、前記周縁部に植設される毛髪より曲げ剛性値の高い毛髪が植設されることを特徴とする、請求項１記載のかつら。
【請求項３】
前記かつらベースが、少なくとも、かつらベースの中心領域となる天頂部と、前記周縁部と、該周縁部に沿って該天頂部と該周縁部との間に画成される中間領域とを含んで区分され、
前記天頂部に植設される毛髪が、装着者の頭皮から育成している自毛よりも高い曲げ剛性値とみなした曲げ剛性値５．２〜７．８×１０−３gf・cm２／本を有し、
前記周縁部に植設される毛髪が、装着者の頭皮から育成している自毛の曲げ剛性値とみなした３．４〜４．４×１０−３gf・cm２／本という値に対して、これと同程度と認められる±０．８×１０−３gf・cm２／本の範囲にある曲げ剛性値を有し、
上記中間領域に、上記曲げ剛性値５．２〜７．８×１０−３gf・cm２／本を有する毛髪と、上記曲げ剛性値３．４〜４．４×１０−３gf・cm２／本という値に対して、これと同程度と認められる±０．８×１０−３gf・cm２／本の範囲にある曲げ剛性値を有する毛髪と、が混ぜ合わせて植設されてなることを特徴とする、請求項１記載のかつら。
【請求項４】
前記かつらベースに区分された領域に植設される毛髪が、領域毎に設定した所定のカール径及び／又は長さを有し、
前記周縁部に植設される毛髪が、装着者の頭皮から育成している自毛と同程度のカール径及び／又は長さを有することを特徴とする、請求項１記載のかつら。
【請求項５】
かつらベースと該かつらベースに植設される毛髪とを含むかつらであって、
上記かつらベースが、前頭部側の周縁、左右側頭部側の周縁及び後頭部側の周縁でなる全周縁部を含んで複数の領域に区分され、
上記かつらベースに区分された領域に植設される毛髪が、領域毎に設定した所定の曲げ剛性値を有し、
上記全周縁部に植設される毛髪が、装着者の頭皮から育成している自毛の曲げ剛性値とみなした３．４〜４．４×１０−３gf・cm２／本という値に対して、これと同程度と認められる±０．８×１０−３gf・cm２／本の範囲にある曲げ剛性値を有することを特徴とする、かつら。
【請求項６】
前記かつらベースが、かつらベースの中心領域となる天頂部と、前頭部側の周縁、左右側頭部側の周縁及び後頭部側の周縁でなる全周縁部と、該全周縁部に沿って前記天頂部と該全周縁部との間に画成される中間領域を含んで区分され、
上記天頂部に植設される毛髪が、装着者の頭皮から育成している自毛よりも高い曲げ剛性値とみなした曲げ剛性値５．２〜７．８×１０−３gf・cm２／本を有し、
上記全周縁部に植設される毛髪が、装着者の頭皮から育成している自毛の曲げ剛性値とみなした３．４〜４．４×１０−３gf・cm２／本という値に対して、これと同程度と認められる±０．８×１０−３gf・cm２／本の範囲にある曲げ剛性値を有し、
上記中間領域に、上記曲げ剛性値５．２〜７．８×１０−３gf・cm２／本を有する毛髪と、上記曲げ剛性値３．４〜４．４×１０−３gf・cm２／本という値に対して、これと同程度と認められる±０．８×１０−３gf・cm２／本の範囲にある曲げ剛性値を有する毛髪と、が混ぜ合わせて植設されてなることを特徴とする、請求項５記載のかつら。
【請求項７】
前記かつらベースに区分された領域に植設される毛髪が、領域毎に設定した所定のカール径及び／又は長さを有し、
前記全周縁部に植設される毛髪が、装着者の頭皮から育成している自毛と同程度のカール径及び／又は長さを有することを特徴とする、請求項５記載のかつら。
【請求項８】
前記毛髪が、芯部と該芯部を覆う鞘部とからなる鞘／芯構造を有し、
上記芯部がポリアミド樹脂からなり、上記鞘部が上記芯部より剛性の低いポリアミド樹脂からなり、上記鞘部と上記芯部との質量比で曲げ剛性値が制御されてなることを特徴とする、請求項１記載のかつら。
【請求項９】
前記毛髪が、ポリアミド系樹脂でなる第１の人工毛髪とポリエステル系樹脂でなる第２の人工毛髪とを所定の割合で混ぜ合わせてなり、
上記第１の人工毛髪が、芯部と該芯部を覆う鞘部とからなる鞘／芯構造を有し、
上記芯部がポリアミド樹脂からなり、上記鞘部が上記芯部より剛性の低いポリアミド樹脂からなり、上記鞘部と上記芯部との質量比で曲げ剛性値が制御されてなることを特徴とする、請求項１記載のかつら。
【請求項１０】
前記毛髪が、芯部と該芯部を覆う鞘部とからなる鞘／芯構造を有し、
上記芯部がポリアミド樹脂からなり、上記鞘部が上記芯部より剛性の低いポリアミド樹脂からなり、上記鞘部と上記芯部との質量比で曲げ剛性値が制御されてなることを特徴とする、請求項５記載のかつら。
【請求項１１】
前記毛髪が、ポリアミド系樹脂でなる第１の人工毛髪とポリエステル系樹脂でなる第２の人工毛髪とを所定の割合で混ぜ合わせてなり、
上記第１の人工毛髪が、芯部と該芯部を覆う鞘部とからなる鞘／芯構造を有し、
上記芯部がポリアミド樹脂からなり、上記鞘部が上記芯部より剛性の低いポリアミド樹脂からなり、上記鞘部と上記芯部との質量比で曲げ剛性値が制御されてなることを特徴とする、請求項５記載のかつら。
【発明の詳細な説明】
【技術分野】
【０００１】
本発明は、かつらベースに取り付ける毛髪の曲げ剛性値を制御することにより、装着者の頭皮から生育している自毛となじみ易くすることで、かつら装着が露見され難いようにしたかつらに関する。
【背景技術】
【０００２】
かつらは、一般に、ネット素材をベースの主体としたかつらベース又はポリウレタンやシリコンなどの薄いシート若しくはフィルムで作った人工皮膚製のかつらベースと、このかつらベースに縫着、接着などにより植設した毛髪とで基本的に構成される。かつらベースに取り付ける毛髪は、人毛で成る天然毛髪のほか、ポリアミド樹脂、ポリエステル樹脂、モダアクリルなどから加工した人工毛髪が知られている。かつらの種類としては、装着者の前額部、側頭部及び後頭部のヘアラインに沿った周縁を有する帽状の全頭用かつらと、頭部の必要な部位のみを隠蔽して装着する部分かつらが一般に知られている。
特許文献１には、頭部を複数の部位に区分し、各部位それぞれに部分かつらを装着し、複数の部分かつらの一部を別の部分かつらに取り替えたり、頭部への装着位置を入れ替えたり、装着する向きを変えることで、種々のヘアスタイルに変更することができることが示されている。【０００３】
ところで、かつらベースに植設する毛髪は、前述したように古くから天然毛髪が愛用されてきたが、近年天然毛髪素材の調達上の制約から、例えばアクリル系、ポリエステル系、ポリアミド系の合成繊維をかつら用毛髪素材とすることが多くなった。例えば、ポリアミド系繊維は、多くの点で天然毛髪に近い外観、物性を有するので、従来から実用に供されており、特に表面処理によって不自然な光沢などを消す本出願人による発明によって優れたかつらが提供されている（特許文献２参照）。
これに対し、ポリアクリル系繊維は、融点が低く耐熱性が悪いためにパーマセット後の保持性が悪く、例えば温水に曝すとカールなどの加工が崩れるなどの弱点があった。ポリエステル系繊維は、強度、耐熱性に優れた素材であるが、天然毛髪に比べて吸湿性が極めて低いうえに、曲げ剛性値が高すぎるため、例えば高湿環境下で天然毛髪と異なる外観、触感、物性を示し、かつらとして用いる場合に著しい違和感を呈する。この曲げ剛性値は、人工毛髪に単位の大きさの曲げモーメントを加えたとき、それによって生じた曲率変化の逆数で定義される。人工毛髪の曲げ剛性値が大きいほど曲げに強くたわみずらい、つまり、硬く曲げにくい人工毛髪である。逆にこの曲げ剛性値が小さい程曲げ易く、柔らかい人工毛髪であるといえる。【０００４】
上記曲げ剛性値は、繊維の触感や質感などの風合いに関連する物性値を示すもので、川端式測定法で数値化できるものとして繊維織物産業で広く認知されている（非特許文献１参照）。一本の繊維や毛髪の曲げ剛性値を測定できる装置も開発されている（非特許文献２参照）。【０００５】
ポリアミド繊維には、主鎖としてメチレン鎖のみがアミド結合でつながる直鎖飽和脂肪族ポリアミド、例えば、ナイロン６、ナイロン６６などと、主鎖中にフェニレン単位が入る半芳香族系ポリアミド（例えば、東洋紡績（株）のナイロン６Ｔ、三菱ガス化学（株）のＭＸＤ６など）がある。特許文献２には、ナイロン６繊維を素材として表面処理をした人工毛髪が開示されているが、ナイロン６繊維単独では触感や質感などの風合いなどに関連する物性である曲げ剛性値が天然毛髪より低く、このため天然毛髪と同質の人工毛髪を製造することが難しい。なお、上記「ナイロン」はデュポン社の登録商標であるが、本発明の実施例では、ポリアミド繊維として「ナイロン」を用いているので、この用語を以下の説明でも使用する。【０００６】
一方、ナイロン６Ｔを用いた人工毛髪は、逆に曲げ剛性値が天然毛髪より高いため、天然毛髪と同質の毛髪を製造するのは困難である。ナイロン６とナイロン６Ｔとの混練紡糸によって天然毛髪に近い曲げ剛性を示す繊維に加工しようとしても、これら２種の樹脂は融点差が大きいため、高融点のナイロン６Ｔに合わせた溶融温度を設定すると、低融点で耐熱性も相対的に低いナイロン６が溶融中に熱酸化して劣化してしまい、優れた人工毛髪は得られない。【０００７】
２種類の樹脂の特性をそれぞれ活かす方法として、鞘／芯構造の繊維が知られている。芯になる繊維とそれを取り巻く鞘状の繊維から成り、それぞれの特性を活かす試みもあり、一般繊維として、また、かつら用人工毛髪素材としても発表されている（特許文献３及び４参照）。特許文献３には、塩化ビニリデン、ポリプロピレンなどからなる鞘／芯構造の繊維が開示され、特許文献４には、ポリアミド系であるが、芯部に蛋白質架橋ゲルを配合することによって変性する繊維が開示されている。【０００８】
【特許文献１】特開２０００−３０３２３９号公報
【特許文献２】特開昭６４−６１１４号公報
【特許文献３】特開２００２−１２９４３２号公報
【特許文献４】特開２００５−９０４９号公報
【非特許文献１】川端季雄、繊維機械学会誌（繊維工学）、２６、１０、ｐｐ．７２１−７２８、１９７３
【非特許文献２】カトーテック株式会社、ＫＥＳ−ＳＨシングルヘアーベンディングテスター取扱説明書
【発明の開示】
【発明が解決しようとする課題】
【０００９】
部分かつらを装着者の薄毛部分を覆うように頭部に装着する場合、薄毛部分の周囲に生育している自毛とかつらに取り付けた人工毛髪とが外観上分離しないでよく馴染むよう、装着者の自毛とかつらの人工毛髪の物性値をなるべく一致させることが重要である。このため、かつらに使用する人工毛髪は、第一義的に天然毛髪に近い風合い（即ち、外観、触感、質感）及び物性値を有することが求められ、その上でさらに天然毛髪より優れた物性値を有することが理想である。上述したように各種合成繊維素材はそれぞれの特徴と弱点を有し、その中では一定のポリアミド繊維がその特性が優れているため実用化されている。
しかしながら、ポリアミド繊維素材でなる人工毛髪をかつらベースに植設してなるかつらの場合、かつら装着時に装着者の頭皮から生育した自毛とかつらベースに植設した人工毛髪とを馴染ませてヘアスタイルを整えても、ポリアミド繊維の曲げ剛性値が自毛と比べて低すぎることから、かつらを装着した時からの時間経過に伴い自毛とかつらに植設した人工毛髪とが分離し、かつらベース周縁部付近の自毛が立ち上がって、不自然なスタイルとなって、かつらの装着が視認され易い。逆に、天然毛髪に比して曲げ剛性が高いポリエステル系繊維の場合は、かつらの毛髪が不自然に立ち上がって、自毛と馴染まず分離してしまう。このため、自毛に対してかつらの毛髪の境界線が出現してかつら装着が露顕するおそれがある。【００１０】
また、かつらベースに植設した毛髪が、かつらベースの領域に依らず同一の長さに揃えられていたり、装着者の自毛と異なるカール径を有したりすると、かつらの毛髪全体がまとまらず、かつらを装着してもヘアスタイルを整えるのに手間がかかる。【００１１】
本発明は上記課題に鑑み、装着者の頭皮から生育している自毛とかつらに植設している毛髪とが容易に分離することなく、良く馴染むことでかつら装着を露見し難いかつらを提供することを一目的としている。
本発明は、装着者の所望のヘアスタイルを簡単に形成することが可能であり、装着者の頭皮から育成している自毛とかつらに植毛した毛髪との見分けがつき難いかつらを提供することを他の目的としている。
【課題を解決するための手段】
【００１２】
本発明者等は鋭意研究を重ねた結果、かつらを必要とする人の頭皮から生育している自毛は総じてこしが弱くまた柔らかい傾向にあり、側頭部や後頭部などの薄毛部位周辺に生育する自毛も同様に曲げ剛性値が低い性状にあることを確認し、芯部を剛性の高いポリアミド繊維としかつ鞘部を芯部よりも剛性の低いポリアミド繊維とする鞘／芯構造を採用することで、人工毛髪の曲げ強度に対する変形の度合、即ち、曲げ剛性値を天然毛髪と同程度に制御した人工毛髪を開発した。本発明は、この新規な人工毛髪をさらに改良すると共に、かつらベースへ取り付けた際に、恰も自毛が頭皮から生育しているかのような自然な外観を呈するかつらを完成するに至った。【００１３】
上記目的を達成するため、本発明の一態様は、かつらベースとかつらベースに植設される毛髪とを含むかつらであって、かつらベースの少なくとも縁周りに植設される毛髪が、天然毛髪よりも低い曲げ剛性値を有することを特徴とする。
本発明の他の態様は、かつらベースが、左右側頭部側の周縁部及び後頭部側の周縁部を含んで複数の領域に区分され、かつらベースに区分された領域に植設される毛髪が、領域毎に設定した所定の曲げ剛性値を有し、周縁部に植設される毛髪が、天然毛髪よりも低い曲げ剛性値を有することを特徴とする。【００１４】
上記構成において、かつらベース上に区分された領域のうちこのかつらベースの中心領域となる天頂部に近くなるにつれて、周縁部に植設される毛髪より曲げ剛性値の高い毛髪が植設されることが好ましい。【００１５】
上記かつらベースが、少なくとも、かつらベースの中心領域となる天頂部と、周縁部と、この周縁部に沿って天頂部と周縁部との間に画成される中間領域とを含んで区分され、天頂部に植設される毛髪が、天然毛髪と同程度の曲げ剛性値を有し、周縁部に植設される毛髪が天然毛髪よりも低い曲げ剛性値を有し、中間領域には、天然毛髪と同程度の曲げ剛性値を有する毛髪と天然毛髪よりも低い曲げ剛性値を有する毛髪とが混ぜ合わせて植設されるようにしてもよい。かつらベースに区分された領域に植設される毛髪は、領域毎に設定した所定のカール径及び／又は長さを有し、周縁部に植設される毛髪が、装着者の頭皮から育成している自毛と同程度のカール径及び／又は長さを有することが好ましい。【００１６】
本発明の他の態様のかつらは、かつらベースが、前頭部側の周縁、左右側頭部側の周縁及び後頭部側の周縁でなる全周縁部を含んで複数の領域に区分され、区分された領域に植設される毛髪が領域毎に設定した所定の曲げ剛性値を有し、全周縁部に植設される毛髪が天然毛髪よりも低い曲げ剛性値を有することを特徴とする。
好ましくは、上記領域は、かつらベースの中心領域となる天頂部と、前頭部側の周縁、左右側頭部側の周縁及び後頭部側の周縁でなる全周縁部と、全周縁部に沿って天頂部と全周縁部との間に画成される中間領域を含んで区分され、天頂部に植設される毛髪は天然毛髪と同程度の曲げ剛性値を有し、全周縁部に植設される毛髪は天然毛髪よりも低い曲げ剛性値を有し、中間領域には、天然毛髪と同程度の曲げ剛性値を有する毛髪と天然毛髪よりも低い曲げ剛性値を有する毛髪とが混ぜ合わせて植設される。【００１７】
上記構成において、好ましくは、かつらベースに区分された領域に植設される毛髪は領域毎に設定した所定のカール径及び／又は長さを有し、全周縁部に植設される毛髪は装着者の頭皮から育成している自毛と同程度のカール径及び／又は長さを有する。【００１８】
毛髪は、好ましくは、芯部と該芯部を覆う鞘部とからなる鞘／芯構造を有し、芯部がポリアミド樹脂からなり、鞘部が芯部より剛性の低いポリアミド樹脂からなり、鞘部と芯部との質量比で曲げ剛性が制御されてなる。【００１９】
或いは、毛髪は、ポリアミド系樹脂でなる第１の人工毛髪とポリエステル系樹脂でなる第２の人工毛髪とを所定の割合で混ぜ合わせて形成されていてよく、第１の人工毛髪が、芯部と該芯部を覆う鞘部とからなる鞘／芯構造を有し、芯部がポリアミド樹脂からなり、鞘部が芯部より剛性の低いポリアミド樹脂からなっており、鞘部と芯部との質量比で曲げ剛性が制御されてなる。【００２０】
本発明のかつらは、かつらベースの周縁部に植設される毛髪が、天然毛髪よりも低い曲げ剛性値を有すること、また、装着者の頭皮から育成している自毛は天然毛髪の曲げ剛性と同等かそれより低い剛性であることから、かつらベースの左右側頭部側の周縁及び後頭部側の周縁に、装着者の自毛と同程度の曲げ剛性を有する毛髪が植設されていることにより、この毛髪と装着者の自毛とが馴染みあい、両者とも同様な立ち上がりや曲性を示す。よって、自毛とかつらの毛髪とが分離せず同様の挙動を示す。また、本発明のかつらにおいては、かつらベースの領域毎に所定の長さ及び／又はカール径を有する毛髪が植設されているので、このかつらを装着する際には、部分的な微調整のみ行なえばよいので、装着者の好みのヘアスタイルを簡単に形成することができる。
かつらベースに植設される毛髪として、ポリアミド系素材で鞘芯構造の質量比を調整したり、ポリエステル系素材で断面寸法のサイズを調整し、或いは原料として混入させるポリブチレンテレフタレートの混入割合を調整することで、曲げ剛性値を制御したものを用いることができる。
【発明の効果】
【００２１】
通常、装着者の頭皮から育成している自毛、即ち、脱毛部又は薄毛部以外の周囲に生えている残毛は平均して天然毛髪よりも曲げ剛性値が低い。本発明によれば、かつらベースの縁周りに植設されている毛髪が天然毛髪よりも低い曲げ剛性値を有するので、結果として、装着者の頭皮から生育している自毛と同程度の曲げ剛性値を有する毛髪をかつらベースの周縁部や全周縁領域に植設していることになる。このため、かつらを装着し周縁部や全周縁領域に植設された毛髪をそれに隣接する自毛の上から被せて自毛と共にブレンドすると、かつらの毛髪が自毛と同様の挙動を示して共に良く馴染みあって容易に分離しない。よって、かつら装着が露見され難い。
本発明に従い、かつらベースを周縁部や全周縁領域を含んで複数の領域に分割し、領域毎に曲げ剛性値の異なる毛髪が植設されていれば、装着者がこれまでなし得なかったボリューム感のあるヘアスタイルを形成することができる。かつらベースの周縁部や全周縁領域に植設する毛髪が装着者の自毛と同程度のカール径や長さを有していると、自毛がかつらの毛髪と馴染み易くなり、かつら装着が一層露見され難くなる。しかも簡単な調整を行なうだけで装着者が所望するヘアスタイルを容易に短時間で形成することができる。
【図面の簡単な説明】
【００２２】
【図１】使用者の頭部に本発明のかつらを装着した状態の模式図である。
【図２】かつらベースの平面図である。
【図３】（Ａ）は本発明のかつらを、（Ｂ）は比較例としてのかつらをそれぞれ模式的に示した図である。
【図４】フロント隠蔽型のかつらベースを含むかつらを装着者に装着した状態をイメージとして示しており、（Ａ）は装着状態の斜視図、（Ｂ）は装着状態の平面図である。
【図５】トップ装着型のかつらベースを含むかつらを装着者に装着した状態をイメージとして示した平面図である。
【図６】複数の領域に区分されたかつらベースを模式的に示す平面図である。
【図７】図６に示すかつらベースにおいて５分割された領域に基づいて３つの領域に分割される様子を示す平面図である。
【図８】図６に示すかつらベースの第１帯体、第２帯体及び周縁部の部分拡大図である。
【図９】トップ装着型のかつらベースを模式的に示す平面図である。
【図１０】かつらベースの各領域の最適な寸法設定を説明するための模式図である。
【図１１】かつらベースの領域区分に関する第１の比較例を示す図である。
【図１２】かつらベースの領域区分に関する第２の比較例を示す図である。
【図１３】植設パターンの第１乃至第４形態におけるかつらベースに植設する毛髪の特性を示す図表である。
【図１４】植設パターンの第５形態におけるかつらベースに植設する毛髪の特性を示す図表である。
【図１５】植設パターンの第６形態におけるかつらベースに植設する毛髪の特性を示す図表である。
【図１６】植設パターンの第７形態におけるかつらベースに植設する毛髪の特性を示す図表である。
【図１７】植設パターンの第８形態におけるかつらベースに植設する毛髪の特性を示す図表である。
【図１８】植設パターンの第９形態におけるかつらベースに植設する毛髪の特性を示す図表である。
【図１９】植設パターンの第１０形態におけるかつらベースに植設する毛髪の特性を示す図表である。
【図２０】植設パターンの第１１乃至第１３形態におけるかつらベースに植設する毛髪の特性を示す図表である。
【図２１】植設パターンの第１４形態におけるかつらベースに植設する毛髪の特性を示す図表である。
【図２２】植設パターンの第１５形態におけるかつらベースに植設する毛髪の特性を示す図表である。
【符号の説明】
【００２３】
１：自毛
２：剃り込み部
１０，２０：かつら
１１，２１，３１：かつらベース
１１Ａ：周縁領域
１１Ｂ，３１Ｂ：主要領域
１１Ｃ，３１Ｃ：調整領域
１１Ｄ：切り返し部
１１ａ，２１ａ：周縁部
１１ｂ，３１ａ，３２ａ，３３ａ：前頭部
１１ｃ，３１ｅ，３２ｅ，３３ｅ：天頂部
１１ｄ：第１帯部
１１ｅ：第２帯部
１１ｆ，１１ｈ，１１ｊ：内側部
１１ｇ，１１ｉ，１１ｋ：外側部
１２，１３，２２，３２，３３：毛髪
３１Ａ：全周縁領域
３１ｂ，３２ｂ，３３ｃ：左側頭部
３１ｃ，３２ｃ，３３ｃ：右側頭部
３１ｄ，３２ｄ，３３ｄ：後頭部
３５ａ〜３５ｈ，３６ａ〜３６ｈ，３７ａ〜３７ｈ：境界線
【発明を実施するための最良の形態】
【００２４】
以下、図面を参照して本発明を実施するための好ましい幾つかの形態を説明する。
図１は、本発明のかつら１０を装着者の頭部に装着した状態を模式的に示す図である。本発明のかつら１０は、かつらベース１１に毛髪１２及び１３が植設されてなる。特に、かつらベース１１の各部に対しその部位に応じて好ましい曲げ剛性に調整した人工毛髪１２及び１３が植設されている。かつらベース１１は複数の領域に区分され、かつらベース１１で左右側頭部側の周縁部及び後頭部側の周縁部１１ａには、天然毛髪よりも低い曲げ剛性値を有する毛髪１２が植設されている。一方、かつらベース１１の周縁部１１ａ以外の天頂部に向かう領域には、例えば天然毛髪と同程度の曲げ剛性値を有する毛髪１３が植設されている。【００２５】
なお、曲げ剛性値とは、本明細書の「背景技術」の項中で述べたように、繊維の触感や質感などの風合いに関する物性値であり、繊維を曲げるときに必要となる力の大きさ、即ち繊維を曲げた際に繊維に作用する力を示し、この値が高い繊維が硬質であり、曲げ難いことを示している。本明細書で記述する曲げ剛性値は、上記川端式測定法により測定したものである。【００２６】
このような曲げ剛性の分布パターンで毛髪を植設したかつら１０を装着すると、かつら周辺に隣接して育成している自毛１上に、かつら周縁部１１ａに植設した毛髪１２が覆いかぶさるように配置される。このため、自毛１と同程度の曲げ剛性値を有するかつらの毛髪１２と当該自毛１とがブラッシングにより良く混ざり合うことができる。一般に、部分かつら１０は薄毛又は脱毛部位を隠蔽するサイズに作られており、図１を参照すると、前頭部及び天頂部を中心にした薄毛又は脱毛部位の周辺、例えば左右側頭部及び後頭部に育成している自毛１は、一般的な天然毛髪に比べて曲げ剛性値が低いのが通常である。そのため、天然毛髪よりも低い曲げ剛性値の毛髪１２をかつらベースの周縁部１１ａに植設すると、毛髪１２は部分かつら１０に隣接して育成している使用者の低い曲げ剛性の自毛１と同等程度の剛性値を有するため、かつらの毛髪１２と自毛１とが良く馴染むことができる。なお、かつらの毛髪１２はかつら使用者の自毛１より若干低い曲げ剛性値を示すものであってもよい。自毛１より曲げ剛性値が若干低くても、かつらの毛髪１２は自毛１より上流側に位置しているので、自毛１の上から覆いかぶさって配置されるため、ブラッシングにより両者が程よく混ざり合ってかつらの毛髪１２の境界をぼかすことができる。ただし、かつらの毛髪１２の曲げ剛性値が自毛のそれに比べて低すぎると境界が現れるため適さない。【００２７】
典型的な部分かつらのかつらベース１１の平面図を示す図２において、矢印の方向はかつらの前側、即ち装着者の目線方向を示している。かつらベース１１は、装着者の頭部の形状及び寸法並びに自毛１の分布及び量に応じて、ネットベース若しくは人工皮膚ベース又はそれらの組合せで構成されている。かつらベース１１の、少なくとも左右側頭部側及び後頭部側の周縁部１１ａには、天然毛髪よりも低い曲げ剛性値を有する毛髪１２（図１参照）が植設されている。一方、その他の領域、すなわち周縁部１１ａ以外の中心部に至る領域に植設する毛髪１３は、好ましくは、天然毛髪と同程度の曲げ剛性値を有するものを植設する。これにより、今まで装着者の自毛ではなし得なかった所望のヘアスタイルを形成することができる。【００２８】
図３（Ａ）は本発明のかつら１０を、図３（Ｂ）は比較例としてのかつら２０をそれぞれ模式的に示している。本発明のかつら１０は、図３（Ａ）に示すように、かつらベース１１のうち、左右側頭部側の周縁部及び後頭部側の周縁部１１ａに植設される毛髪１２が、天然毛髪より低い曲げ剛性値を有する。よって、自毛１と毛髪１２とをコーミングして自毛１に毛髪１２を馴染ませることで、周縁部１１ａに植設された毛髪だけが立ち上がることなく、さらに自毛１と毛髪１２とが分離せず両者を峻別することができないため、かつらを装着していることを露見され難い。
ところで、装着者の自毛はかつらを必要としない者の自毛と比べると、一般に柔らかく曲げ剛性が低い。そのため、図３（Ｂ）に示すように、かつらベース２０のうち左右側頭部側及び後頭部側の周縁部２１ａに植設される毛髪２２が、装着者の自毛１よりも高い曲げ剛性値を有すると、かつらベースの周縁部２１ａに植設される毛髪２２は立ち上がり易く、それに隣接する装着者の自毛１は倒伏しているため、毛髪２２と自毛１とで毛並びが異なり、それぞれ異なった挙動を示すことになる。このため、自毛とその上に被さるかつらの毛髪との境界線が横線状に現れて、かつらを装着していることが露見されやすくなる。【００２９】
ここで、本発明のかつらにおけるかつらベースについて説明する。かつらベースの形状及びその仮想区分として幾つかの種類が存在する。例えば、装着者の頭部全体が薄毛である場合に採用されるフロント隠蔽型と、装着者の頭部のうちトップの領域が部分的に薄毛である場合に採用されるトップ装着型とに大別される。前者のフロント隠蔽型はヘアラインが後退している者に対応するタイプであるのに対し、後者のトップ装着型はヘアラインが後退しておらず頭部の天頂部周辺が部分的に薄くなっている者に対応するタイプであり、特にお洒落感覚で増毛させたいという要望に応じるタイプである。比較的前者は男性からの要望が多く、後者は女性からの要望が多い。【００３０】
図４は、フロント隠蔽型のかつらベース１１を含むかつら１０を装着者に装着した状態をイメージとして示した図で、（Ａ）は装着状態の斜視図、（Ｂ）は装着状態の平面図である。図４（Ａ）では自毛１や毛髪１２，１３は一部しか図示しておらず、（Ｂ）では自毛１及び毛髪１２，１３は図示していない。フロント隠蔽型のかつらベース１１は、図４に示すように、装着者の額を一部覆うようにトップから前側に張り出す前頭部１１ｂと、装着者の脱毛周辺領域で左右両側部及び後頭部の周縁で形成される周縁部１１ａとで、かつらベース１１の全周縁が形成されており、周縁部１１ａの曲率が前頭部１１ｂのそれより大きいため、あるべき剃り込み部２に宛がわれる切り返し部１１Ｄが形成されている。【００３１】
図５は、トップ装着型のかつらベース３１を含むかつら３０を装着者に装着した状態をイメージとして示した図である。トップ装着型のかつらベース３１では、装着者の頭部のトップ及びその近傍に装着される。【００３２】
図６はフロント隠蔽型のかつらベース１１を模式的に示す平面図である。このかつらベース１１は仮想線により複数の領域に区分され、矢印の方向がかつらの前方を示している。図６に示すように、このかつらベース１１は、装着者の頭部の形状及び寸法に合わせて略左右対称に構成され、前髪が植設されて頭部のフロントに対応する前頭部１１ｂと、かつらベース１１の中心領域を画成し頭部のトップに対応する天頂部１１ｃと、天頂部１１ｃの左右両端及び後端と隣接する略Ｕ字形状の帯状の第１帯部１１ｄと、第１帯部１１ｄの左右両端及び後端並びに前頭部１１ｂの左右両端と隣接する第２帯部１１ｅと、前頭部を除いて第２帯部１１ｅの左右両端及び後端に隣接してかつらベース１１の左右側頭部側及び後頭部側の縁取りとなる周縁部１１ａとに、仮想的に区分される。【００３３】
即ち、上記かつらベース１１は、天頂部１１ｃと、その前側に前頭部１１ｂと、天頂部１１ｃから後頭部側及び左右の側頭部側に亙って略Ｕ字型に３段階に画成された第１帯部１１ｄ，第２帯部１１ｅ及び周縁部１１ａとに区分されている。天頂部１１ｃは、その前端で前頭部１１ｂと隣接し、かつその左右両端及び後端で第１帯部１１ｄと隣接している。そして、略Ｕ字形状の帯状の第２帯体１１ｅは、前頭部１１ｂ及び第１帯部１１ｄを左右両端及び後端から部分的に囲んでいる。周縁部１１ａは、第２帯体１１ｅの外側、即ち左右両端及び後端に隣接して、かつらベース１１の左右側頭部側及び後頭部側の縁取りをなしている。【００３４】
このように、図６に示すフロント隠蔽型のかつらベース１１は、領域毎に設定した所定のカール径及び／又は長さの毛髪を植設するために、５つの領域に分割される。その理由は以下の通りである。前頭部１１ｂは、装着者以外の第三者にとって最も目に付きやすい領域であるため、前頭部１１ｂの左右対称線から左右両側方向に延設され、装着者のあるべき剃り込み部２を被覆する。天頂部１１ｃは、装着者の髪型や外観及び第三者の抱く印象を左右する重要な領域となる。周縁部１１ａは、後頭部から左右側頭部に延設されて略Ｕ字状を呈しており、装着者の自毛１に馴染む毛髪を植設し、かつら装着の露見を防止するための領域となる。本発明のかつらは、後述するように、領域毎に設定した所定のカール径及び／又は長さの毛髪を植設して構成されるところ、前頭部１１ｂ、天頂部１１ｃ及び周縁部１１ａにそれぞれカール径及び／又は長さが異なる毛髪を植設すると、それぞれの境界で、カール径及び／又は長さの違いにより段差が生じる。特に、天頂部１１ｃと周縁部１１ａとの間においては、それぞれに植設した毛髪が馴染まないために段差が生じやすい。そこで、天頂部１１ｃの外縁に天頂部側の緩衝領域として第１帯部１１ｄを画成し、かつ周縁部１１ａの内縁に周縁部側の緩衝領域として第２帯部１１ｅを画成する。これにより、周縁部１１ａに植設した毛髪と天頂部１１ｃに植設した毛髪のカール径及び／又は長さに差があっても、周縁部１１ａと天頂部１１ｃとにそれぞれ植設した毛髪の中間的なカール径及び／又は長さを有する毛髪を、第１帯部１１ｄと第２帯部１１ｅとに段階的に植設することができ、かつらベース１１に植設した毛髪同士による段差が生じなくなる。周縁部１１ａに植設した毛髪は、更に、装着者の頭皮から育成している自毛と同程度のカール径及び／又は長さを有することで、このかつらを装着する際には、部分的に毛髪をカットするなどの微調整のみを行なえばよく、装着者の好みのヘアスタイルを簡単に短時間で形成することができる。【００３５】
図７は、図６に示すかつらベースにおいて５分割された領域に基づいて３つの領域に分割される様子を示す平面図である。図６に示すフロント隠蔽型のかつらベース１１は、曲げ剛性値の異なる毛髪を植設するために、図７に示すように３つの領域に分割される。３つの領域への分割は、図６に示した５分割した領域に基づいて定められる。即ち、図６に示すかつらベース１１は、領域毎に設定した所定のカール径及び／又は長さの毛髪を植設するために、前頭部１１ｂ、天頂部１１ｃ、第１帯部１１ｄ、第２帯部１１ｅ及び周縁部１１ａと５分割したものであるところ、所定の曲げ剛性値を持ち、かつ、所定のカール径及び／又は長さの毛髪を植設するために、５分割した領域に基づいて、前頭部１１ｂから天頂部１１ｃにかけて第１帯部１１ｄを含めた主要領域１１Ｂと、周縁部１１ａの領域１１Ａと、主要領域１１Ｂと周縁領域１１Ａとの間の調整領域１１Ｃとの、３つの領域に分割される。【００３６】
このように曲げ剛性値の異なる毛髪を植設するために３領域に分ける理由は、以下の通りである。前述したように、前頭部１１ｂ及び天頂部１１ｃは、装着者以外の第三者にとって最も目に付きやすい領域であり、かつ、装着者の髪型や外観及び第三者の抱く印象を左右する重要な領域となる。周縁部１１ａは、装着者の自毛１に馴染む毛髪を植設し、かつら装着の露見を防止するための領域となる。本発明ではかつらベース１１の各領域に曲げ剛性値の異なる毛髪を植設して構成されるので、調整領域１１Ｃを設けないで、かつらベース１１の天頂部１１ｃとそれに隣接する前頭部１１ｂ及び第１帯部１１ｄとからなる主要領域１１Ｂと周縁部１１ａの領域（「周縁領域」という。）１１Ａとにそれぞれ曲げ剛性値の異なる毛髪を植設すると、主要領域１１Ｂと周縁領域１１Ａとのそれぞれの境目において毛髪の曲げ剛性値の違いにより毛髪のかつらベース１１からの立ち上がり方が異なる。そのため、主要領域１１Ｂに植設した毛髪と周縁領域１１Ａに植設した毛髪とがそれぞれ馴染まず段差が生じてしまう。特に毛髪全体にボリュームを出させるために、後述するように前頭部１１ｂから天頂部１１ｃにかけての主要領域１１Ｂには天然毛髪と同程度の曲げ剛性値を有する毛髪を植設するのに対し、周縁領域１１Ａには天然毛髪の平均的な曲げ剛性値より低い値を持つ毛髪を植設する。この場合、主要領域１１Ｂに植設した毛髪が後方及びサイド方向に流れても、周縁領域１１Ａに植設した毛髪ほど頭皮に沿って平伏することなく立ち上がってしまう。そこで、前頭部１１ｂから天頂部１１ｃにかけての主要領域１１Ｂと周縁領域１１Ａとの間に調整領域１１Ｃを設ける。この調整領域１１Ｃは、図６に示した第２帯部１１ｅの領域に該当する。このように、かつらベース１１を３領域に分ける。【００３７】
周縁領域１１Ａに植設した毛髪と主要領域１１Ｂに植設した毛髪とで曲げ剛性値に差があっても、周縁領域１１Ａに植設する毛髪と主要領域１１Ｂに植設する毛髪のそれぞれの曲げ剛性値の中間の値を有する毛髪を、周縁領域１１Ａと主要領域１１Ｂとの間に介在させた調整領域１１Ｃに植設することで、かつらベース１１に植設した毛髪による段差が生じなくなる。よって、かつら１０を装着しても、自毛１とかつらベース１１の周縁領域１１Ａに植設した毛髪１２とが分離せず、かつ、かつらベース１１内での曲げ剛性値の違いによる毛髪の分かれ目が生じないため、かつら装着を露見され難い。【００３８】
以上のように、図６に示すフロント隠蔽型のかつらベース１１は、領域毎に設定した所定のカール径及び／又は長さの毛髪を植設するために、５領域に分割されている。しかし、植設された毛髪のカール径及び／又は長さに変化を持たせるだけでは、ボリューム感のあるヘアスタイルを構成することができない。そこで、図７に示すようにかつらベース１１の５領域に基づいて３領域に再編成し、３つに分割した領域毎に曲げ剛性値の異なる毛髪を植設することで、５つに分割した領域毎に設定したカール径及び／又は長さの毛髪の効果と相俟って、更に、装着者の所望の髪型を形成することができる。【００３９】
ここで、かつらベース１１は、装着者の頭部の形状及び寸法並びに脱毛又は薄毛状態に応じて適宜のサイズに決定されるところ、前頭部１１ｂの中心軸上での長さＬ1及び左右両端の長さＬ2や、第１帯部１１ｄの幅Ｌ3，第２帯部１１ｅの幅Ｌ4及び周縁部１１ａの長さＬ5を所定の値に設定して、天頂部１１ｃの寸法を適宜に調整することにより、かつらベース１１のサイズを装着者の頭部の大きさや寸法に適合するようにする。なお、本明細書中において、長さや幅は、かつらベース１１の大きさを示す場合も含め、かつらベース１１の曲面に沿った長さである。【００４０】
かつらベース１１の前頭部１１ｂ、天頂部１１ｃ、第１帯部１１ｄ、第２帯部１１ｅ及び周縁部１１ａの各領域は、装着者の頭部におけるかつら装着領域の大きさにかかわらず略均等に配置されることが必要である。かつらベース１１の大きさがある一定以上の場合について説明する。かつらベース１１の大きさがある一定以上とは、例えばかつらベース１１の前後長Ｌが１５ｃｍ以上であり、左右長Ｄが１５ｃｍ以上のサイズをいう。天頂部１１ｃの大きさは、装着者の頭部の形状及び大きさ並びに脱毛状態などを考慮して装着者毎に決定する。かつらベース１１の周縁部１１ａは中心の左右対称線上での幅Ｌ5 が、２ｃｍとなるよう略Ｕ字状の帯状に画成される。前頭部１１ｂは、中心の左右対称線上での前後幅Ｌ1が５ｃｍで、左右で第２帯部１１ｅと隣接する側部の前後幅Ｌ2が３ｃｍのように、左右の両側になるに従い前後幅が狭くなるように画成される。第１帯部１１ｄは、第２帯部１１ｅの内周に沿い、かつ中心の左右対称線上での幅Ｌ3が１．５ｃｍとなるよう略Ｕ字状の帯状に画成される。第２帯部１１ｅは、周縁部１１ａの内周に沿い、かつ中心の左右対称線上での幅Ｌ4 が１．５ｃｍとなるよう略Ｕ字状の帯状に画成される。【００４１】
上記各幅Ｌ1〜Ｌ5 の値について説明する。
前頭部１１ｂに植設した毛髪の一部は生え際の露見を防止するため前方向に流す必要があり、かつ、かつらベースに曲げ剛性値の異なる毛髪を植毛しても段差が生じないよう前頭部１１ｂに隣接する天頂部１１ｃ、第１帯部１１ｄ、第２帯部１１ｅ及び周縁部１１ａの各方向に流す必要がある。従って、前頭部１１ｂにおける左右対称線上での前後幅Ｌ1が５ｃｍ未満であると、前頭部１１ｂに植設した毛髪を前方向に流しつつ、かつ天頂部１１ｃ、第１帯部１１ｄ、第２帯部１１ｅ及び周縁部１１ａの各方向に流すことが困難となる。そのため、生え際が露見したり、かつらベースに植設した毛髪全体が段差を生じ、結果としてかつら装着を露見されるため好ましくない。逆に、前後幅Ｌ1 が５ｃｍより大きいと、第１に、前頭部１１ｂの領域が広くなり、装着者以外の第三者の目から見て、前頭部１１ｂが極端に目立ちすぎ不自然感が生じてしまう。第２に、天頂部１１ｃの領域が小さくなり、装着者の所望の髪型を形成することができなくなる。よって、前頭部１１ｂにおける左右対称線上での前後幅Ｌ1 は５ｃｍが好ましい。
前頭部１１ｂにおける第２帯部１１ｅに隣接する両側の前後幅Ｌ2が３ｃｍ未満であると、前頭部１１ｂに植設された毛髪と天頂部１１ｃ、第１帯部１１ｄ及び第２帯部１１ｅにそれぞれ植設された毛髪とが馴染み難くなるほか、前頭部１１ｂに植設された毛髪を前後左右の各方向に分けると、切り返し部１１Ｄが外部から視認され、かつら装着が露見されてしまうため好ましくない。よって、前頭部１１ｂにおける第２帯部１１ｅに隣接する両側の前後幅Ｌ2は３ｃｍとなる。この前後幅Ｌ2が、前頭部１１ｂにおける左右対称線上での前後幅Ｌ1の幅と同等又は前後幅Ｌ1の幅よりも長いと、第１帯部１１ｄの部位が狭くなり、第１帯部１１ｄに植設した毛髪と天頂部１１ｃに植設した毛髪とで段差が生じ毛髪が分かれてかつらを装着していることが外部から視認されてしまうので、好ましくない。【００４２】
第１帯部１１ｄの左右対称線上での幅Ｌ3、第２帯部１１ｅの左右対称線上での幅Ｌ4及び周縁部１１ａの左右対称線上での幅Ｌ5について説明する。図８は、図６に示すかつらベース１１の第１帯体１１ｄ、第２帯体１１ｅ及び周縁部１１ａの部分拡大図である。第１帯部１１ｄは、天頂部１１ｃに植設した毛髪と馴染ませるための毛髪を植設する内側部１１ｆと、第２帯部１１ｅに植設した毛髪と馴染ませるための毛髪を植設する外側部１１ｇとでなる。内側部１１ｆの幅Ｌ31は１ｃｍ必要であり、外側部１１ｇの幅Ｌ32は０．５ｃｍがよい。第１帯部１１ｄは、天頂部１１ｃに植設する毛髪と周縁部１１ａに植設する毛髪とのカール径及び／又は長さが異なることに起因する不都合を解消する緩衝領域の一部を構成する。よって、内側部１１ｆの幅Ｌ31が１ｃｍより短いと、天頂部１１ｃに植設した毛髪と馴染ませる毛髪が植設される領域が小さいので、かつらベース１１に植設した毛髪同士で段差が生じる。一方、外側部１１ｇは、この外側部１１ｇに植設される毛髪と第２帯部１１ｅに植設される毛髪とのカール径及び／又は長さの差が小さいので、内側部１１ｆの幅の略半分あれば隣接する毛髪同士が馴染みあう。以上のことから、第１帯部１１ｄの幅Ｌ3は１．５ｃｍ必要となる。逆に、第１帯部１１ｄの幅Ｌ3 を２ｃｍより長くすると、天頂部１１ｃの領域が狭くなり、自由なヘアスタイルを構成することができないので好ましくない。また、第１帯部１１ｄの幅Ｌ3が広くなると、内側部１１ｆと外側部１１ｇの境目付近に天頂部１１ｃと第２帯部１１ｅに植設した毛髪に馴染み合わない部分が生じ、その結果、第１帯部１１ｄに植設した毛髪が分かれてしまうことで、かつらの装着が外部から露見するので好ましくない。【００４３】
第２帯部１１ｅの左右対称線上での幅Ｌ4について説明する。第２帯部１１ｅは、第１帯部１１ｄに植設した毛髪と馴染ませるための毛髪を植設する内側部１１ｈと、周縁部１１ａに植設した毛髪と馴染ませるための毛髪を植設する外側部１１ｉとでなる。外側部１１ｉの幅Ｌ42は１ｃｍ必要であり、内側部１１ｈの幅Ｌ41は０．５ｃｍがよい。第２帯部１１ｅは、天頂部１１ｃに植設する毛髪と周縁部１１ａに植設する毛髪との曲げ剛性値の緩衝領域の他部を構成する。よって、外側部１１ｉの幅Ｌ42が１ｃｍより短いと、周縁部１１ａに植設した毛髪と馴染ませる毛髪が植設される領域が小さいので、かつらベース１１に植設した毛髪同士で段差が生じる。一方、内側部１１ｈは、この内側部１１ｈに植設される毛髪と第１帯部１１ｄに植設される毛髪とのカール径及び／又は長さの差と曲げ剛性値の差の双方が小さいので、外側部１１ｉの幅の略半分あれば隣接する毛髪同士が馴染みあう。以上のことから、第２帯部１１ｅの幅Ｌ4は１．５ｃｍ必要となる。逆に、第２帯部１１ｅの幅Ｌ4を２ｃｍより長くすると、天頂部１１ｃの領域が狭くなり、自由なヘアスタイルを構成することができないので好ましくない。第２帯部１１ｅの幅Ｌ4が広くなると、内側部１１ｈと外側部１１ｉの境目付近に第１帯部１１ｄと周縁部１１ａに植設した毛髪に馴染み合わない部分が生じ、その結果、第２帯部１１ｅに植設した毛髪が分かれてしまうことで、かつらの装着が外部から露見するので好ましくない。【００４４】
周縁部１１ａの左右対称線上での幅Ｌ5について説明する。周縁部１１ａは、第２帯部１１ｅに植設した毛髪と馴染ませるための毛髪を植設する内側部１１ｊと、装着者の残毛と馴染ませるための毛髪を植設する外側部１１ｋとでなる。この周縁部１１ａに植設される毛髪とその内側の第２帯部１１ｅに植設される毛髪とのカール径及び／又は長さと、曲げ剛性値との双方が異なることから、内側部１１ｊの幅Ｌ51は１ｃｍ必要となる。外側部１１ｋはこの外側部１１ｋに存在する装着者の自毛に馴染ませるための毛髪を植設するため、外側部１１ｋは１ｃｍ必要となる。よって、周縁部１１ａの幅Ｌ5は２ｃｍ必要となる。周縁部１１ａの幅Ｌ5が２ｃｍより短いと、装着者の自毛と周縁部１１ａに植設した毛髪と第２帯部１１ｅに植設した毛髪とが馴染まず毛分かれした状態となり、装着者の頭部におけるかつらベースの周縁が外部から視認されるので好ましくない。逆に、周縁部１１ａの幅Ｌ5が２ｃｍより長いと、天頂部１１ｃの領域が狭くなり、装着者の所望の髪型を形成できないので好ましくない。周縁部１１ａの幅Ｌ5が広くなると、内側部１１ｊと外側部１１ｋの境目付近に、第２帯体１１ｅを植設した毛髪と装着者の自毛とに馴染みあわない部分が生じ、その結果、周縁部１１ａに植設した毛髪が分かれてしまうことで、かつらの装着が外部から露見されるので好ましくない。【００４５】
以上の寸法設定はかつらベース１１の大きさがある一定サイズ以上である場合に適用されるが、装着者の頭部が小さい場合、即ち、かつらベース１１の大きさがある一定サイズより小さい場合に上記寸法設定を適用すると、天頂部１１ｃの大きさがかつらベース１１の他の領域よりも小さくなる。これは、装着者のかつら装着領域で天頂部１１ｃが最も広くなるという調査事実に反し、天頂部１１ｃが狭すぎるとかつら全体のバランスが悪くなり自然なヘアスタイルを形成することができないことになる。そこで、天頂部１１ｃの前後左右の各幅が、前頭部１１ｂの前後幅Ｌ1の５ｃｍより小さい場合又は第１帯部１１ｄから周縁部１１ａの左右対称線上での前後幅５ｃｍより小さい場合には、次のように寸法設定を行なう。【００４６】
かつらベース１１の大きさがある一定サイズより小さい場合には、かつらベース１１の前頭部１１ｂから周縁部１１ａまでの前後幅Ｌに対し、かつらベース１１の前頭部１１ｂの前後幅Ｌ1がＬ／３となるようにし、第１帯部１１ｄから周縁部１１ａの左右対称線上での前後幅Ｌ3＋Ｌ4＋Ｌ5がＬ／３となるようにする。そして第１帯部１１ｄの左右対称線上での前後幅Ｌ3と第２帯部１１ｅの左右対称線上での前後幅Ｌ4と周縁部１１ａの左右対称線上での前後幅Ｌ5とが、１．５：１．５：２となるように配分する。【００４７】
以上のように、かつらベース１１の各領域の寸法設定を、かつらベース１１の前後左右の各幅が１５ｃｍ以上の場合には、前頭部１１ｂ、第１帯部１１ｄ、第２帯部１１ｅ及び周縁部１１ａの左右対称線上の幅をそれぞれ５ｃｍ、１．５ｃｍ、１．５ｃｍ、２ｃｍとし、残りを天頂部１１ｃの領域として割り当てるのに対し、かつらベース１１の前後左右の各幅が１５ｃｍ未満の場合にはかつらベース１１を３等分し、前頭部１１ｂ、天頂部１１ｃの左右対称線上の幅を何れもかつらベース１１の前後幅ＬのＬ／３とし、残りを第１帯部１１ｄと第２帯部１１ｅと周縁部１１ａに割り当てて各幅が１．５：１．５：２の比率となるように配分する。【００４８】
このように複数の領域に区分されたかつらベース１１に植設される毛髪は、その領域毎に決められた所定の曲げ剛性値を有する。かつらベース１１の周縁部１１ａに植設される毛髪１２は、装着者の脱毛部又は薄毛部の周辺領域に自毛と混ぜ合わせて配置されるため、天然毛髪よりも低い曲げ剛性値を有する。
これに対し、かつらベース１１のうち周縁部１１ａから天頂部に向かう領域、例えば、前頭部１１ｂ、天頂部１１ｃ、第１帯部１１ｄにかけての主要領域１１Ｂに植設される毛髪は、天然毛髪と同程度の曲げ剛性値を有するように設定する。そして、かつらベース１１のうち周縁部１１ａと前頭部から天頂部にかけての領域１１Ｂとの境界領域となる調整領域１１Ｃに植設される毛髪は、周縁部１１ａに植設される毛髪と主要領域１１Ｂに植設される毛髪との中間的な曲げ剛性を有するようにする。
ここで、上記毛髪を中間的な曲げ剛性を有するようにするため、後で詳述するが、天然毛髪よりも低い曲げ剛性値を有する毛髪と天然毛髪と同程度の曲げ剛性値を有する毛髪とを所定の本数の割合で混ぜたり、周縁領域１１Ａに植設される毛髪の曲げ剛性値と主要領域１１Ｂに植設される毛髪の曲げ剛性値との間の所定の値を有するよう構造や寸法を調整する。【００４９】
以上のように、かつらベース１１において周縁部１１ａの領域１１Ａに植設する毛髪は、天然毛髪よりも低い曲げ剛性値を有しており、好ましくは装着者の自毛１と同程度の曲げ剛性値を有し、さらに好ましくは頭部の自毛１から遠ざかるにつれて、曲げ剛性値が徐々に高い毛髪が植設され、かつらベース１１の主要領域１５Ｂに植設する毛髪は、周縁領域１１Ａに植設される毛髪よりも曲げ剛性値が高く、天然毛髪と同程度の曲げ剛性値を有する。これにより、装着者の頭皮から生育している自毛１とかつらベースの周縁部１１ａに植設される毛髪１２とが馴染みやすく、それぞれ同じように立ち上がり、同じように湾曲するなどして、同様の挙動を示す。その一方、かつらベースの主要領域１１Ｂに植設される毛髪は、自毛１より高い曲げ剛性値を有するので、その毛髪の硬さや曲げ強度により、従来装着者がなし得なかった独自のヘアスタイルを形成することができる。【００５０】
以上説明したかつらは、かつらベースを複数の領域に区分し、各領域にその領域に対応した曲げ剛性値を有する毛髪を植設してなるが、図６に示すかつらベース１１の領域毎に、毛髪の長さを調整したり、カール付けの有無や付されるカールの曲率の大きさを調整したり、色を調整するなど、任意に形成した人工毛髪を用いることができる。装着者の残毛の分布状態や残毛の色に応じて上記各種の人工毛髪をかつらベース１１の各領域に植設することで、装着者のニーズに応じたヘアスタイルを形成することができる。【００５１】
図７に示すかつらベース１１の領域毎、即ち、周縁領域１１Ａ、主要領域１１Ｂ及び調整領域１１Ｃのそれぞれに植設される毛髪は、所定の曲げ剛性値を有するだけでなく、周縁部１１ａ、前頭部１１ｂ、天頂部１１ｃ、第１帯部１１ｄ、第２帯部１１ｅ毎に所定のカール径及び／又は長さを有することが好ましい。即ち、フロント隠蔽型のかつらにおいて、かつらベース１１の周縁部１１ａに植設する毛髪１２は、かつらの周縁部近傍の自毛と同等の曲げ剛性値を有するだけでなく、カール径や長さが同等であることが好ましい。かつらベース１１の天頂部１１ｃに植設する毛髪１３のカール径や長さと、周縁部１１ａに植設する毛髪１２のカール径や長さとが異なる場合には、徐々に、カール径及び／長さを変化させることで、かつらベース１１に植設した毛髪により段差が生ぜず、かつら装着を露見されない。また、かつらベース１１における前頭部１１ｂから天頂部１１ｃにかけての主要領域１１Ｂに植設する毛髪１３の曲げ剛性値と、周縁部１１ａの領域１１Ａに植設する毛髪１２の曲げ剛性値とが異なる場合には、調整領域１１Ｃに中間的な曲げ剛性値を有する毛髪を植設するので、かつら装着が露見され難くなる。【００５２】
次に、図５に示すトップ装着型のかつらの場合について説明する。図９は、トップ装着型のかつらベース３１を模式的に示す平面図である。図中の矢印は、装着者の前方を示す。このかつらベース３１は、仮想線により複数の領域に区分されている。かつらベース３１は、装着者の頭部の形状及び寸法に合わせて略左右対称に構成され、植設する毛髪のカール径及び／又は長さを領域毎に異なるようにするために、図９に示すように、５つの領域に分割されている。即ち、かつらベース３１は、その中心領域となる天頂部３１ｅと、この天頂部３１ｅに前側で隣接する前頭部３１ａ，天頂部３１ｅに左側で隣接する左側頭部３１ｂと、天頂部３１ｅの右側で隣接する右側頭部３１ｃと、天頂部３１ｅの後側で隣接する後頭部３１ｄとに仮想的に分割される。上記トップ装着型のかつらベース３１は、図６に示すフロント隠蔽型のかつらベース１１とは異なり、かつら装着領域が装着者のトップのみであるため、装着者のあるべき剃り込み部や額を部分的に覆うよう形成されない。また、かつらベース３１は、植設する毛髪の曲げ剛性値を領域毎に異ならせるために、前頭部３１ａ、左右の側頭部３１ｂ，３１ｃ及び後頭部３１ｄの外周縁に沿ってなる全周縁領域３１Ａと、かつらベース３１の中心領域を画成し頭部のトップに対応する主要領域３１Ｂと、全周縁領域３１Ａと主要領域３１Ｂとの間の環状の調整領域３１Ｃとに、別途仮想的に３分割される。ここで、主要領域３１ｅは５分割した領域のうち天頂部３１ｅに該当し、全周縁領域３１Ａは装着者のかつら装着領域の内周縁に隣接される領域である。【００５３】
かつらベース３１の各領域の最適寸法について以下に説明する。なお、かつらベース３１の前頭部３１ａの前端と後頭部３１ｄの後端との間でかつらベース３１の曲面に沿った長さをＬとし、かつら３１の左側頭部３１ｂと右側頭部３１ｃの両端間でかつらベース３１の曲面に沿った長さをＤとする。
かつらベース３１の前頭部３１ａ及び後頭部３１ｄの幅であるＬ6及びＬ7は、かつらベース３１の前後長Ｌのそれぞれ１／４となる長さとなるようにする。また、左右両側頭部３１ｂ及び３１ｃの長さであるＤ6及びＤ7は、左右長Ｄのそれぞれ１／４となるようにする。それによって、かつらベース３１の天頂部３１ｅは、かつらベース３１の中心領域において、かつらベース３１の前後長Ｌの１／２の前後長を有し、かつ、かつらベース３１の左右長Ｄの１／２の左右長を有するよう画成される。さらに、前頭部３１ａ、左側頭部３１ｂ、右側頭部３１ｃ、後頭部３１ｄの各領域をほぼ等分する位置を境界線とし、かつらベース３１の全周縁領域３１Ａと主要領域３１Ｂとの間に植設した毛髪が毛分かれしてかつら装着が露見してしまうことを防止するために、調整領域３１Ｃを画成する。この境界線は、かつらベース３１の外周縁と天頂部３１ｅの境界線との中間位置にかつらベースの外周縁全周に沿って設けられる。【００５４】
図１０は、かつらベース３１の各領域の最適な寸法設定を説明するための模式図である。かつらベース３１の前頭部３１ａの前端から後頭部３１ｄの後端までのかつらベース３１に沿った前後方向の長さをＬとし、左側頭部３１ｂの左端と右側頭部３１ｃの右端の間のかつらベース３１に沿った左右方向の長さをＤと定義する点は図９の場合と同様である。この前後の長さＬを４等分した長さ、区域を前頭部側から順にＬ11〜Ｌ14とし、左右の長さＤを４等分した長さ、区域を左側頭部側から順にＤ11〜Ｄ14とし、縦横それぞれ４等分した仮想線を図面上に示している。【００５５】
天頂部３１ｅは、装着者の外観やヘアスタイルを左右する重要な領域であるため、かつら中心付近にできるだけ広く確保する必要がある。そこで、天頂部３１ｅは、図１０に示すように、前頭部３１ａとの境界線３５ａ、左側頭部３１ｂとの境界線３５ｂ、右側頭部３１ｃとの境界線３５ｃ及び後頭部３１ｄとの境界線３５ｄにより画成される。天頂部３１ｅは、左側頭部３１ｂとの境界線３５ｂ及び右側頭部３１ｃとの境界線３５ｃがＬ12＋Ｌ13の長さでなる区間となり、前頭部３１ａとの境界線３５ａ及び後頭部３１ｄとの境界線３５ｄがＤ12＋Ｄ13の長さでなる区間となるよう、かつらベース３１の中心領域に画成される。即ち、天頂部３１ｅの領域は、かつらベース３１の前後長Ｌ及び左右長Ｄのそれぞれ１／２の長さで画成される。【００５６】
前頭部３１ａは、天頂部３１ｅとの境界線３５ａ及び左右の側頭部３１ｂ，３１ｃとの境界線３５ｅ，３５ｆで画成される。天頂部３１ｅとの境界線３５ａ上で左右の長さがＤ12＋Ｄ13となり、天頂部３１ｅとの境界線３５ａからかつらベース３１の前縁までの長さが、かつらベース３１の前後長Ｌの１／４の比率となるＬ11となるよう、寸法設定される。前頭部３１ａの左右の側頭部３１ｂ，３１ｃとの境界線３５ｅ，３５ｆは、天頂部３１ｅとの境界線３５ａの左右の両端からそれぞれ左右斜め方向、即ち図中の矢印をそれぞれ略４５度左右に回転した方向に延設される。境界線３５ｅ，３５ｆがそれぞれ左右斜め方向に延びていることで、前頭部３１ａと左側頭部３１ｂ及び右側頭部３１ｃとにそれぞれ植設した毛髪に不適切な髪の分け目ができない。それゆえ、かつら装着が露見しまうことを防止することができる。【００５７】
左側頭部３１ｂは、前頭部３１ａとの境界線３５ｅ、天頂部３１ｅとの境界線３５ｂ及び後頭部３１ｄとの境界線３５ｇで画成される。天頂部３１ｅとの境界線３５ｂ上で前後の長さがＬ12＋Ｌ13となり、天頂部３１ｅとの境界線３５ｂからかつらベース３１の左縁までの長さが、かつらベース３１の左右長Ｄの１／４の比率となるＤ11で、寸法設定される。ここで、前頭部３１ａとの境界線３５ｅは、天頂部３１ｅとの境界線３５ｂの前端から左斜め方向に延設される一方、後頭部３１ｄとの境界線３５ｇは、天頂部３１ｅと後頭部３１ｄとの境界線３５ｄの左端をその境界線３５ｄに沿って延設している。【００５８】
右側頭部３１ｃは、前頭部３１ａとの境界線３５ｆ、天頂部３１ｅとの境界線３５ｃ及び後頭部３１ｄとの境界線３５ｈで画成される。天頂部３１ｅとの境界線３５ｃ上で前後の長さがＬ12＋Ｌ13となり、天頂部３１ｅとの境界線３５ｃからかつらベース３１の右縁までの長さが、かつらベース３１の左右長Ｄの１／４の比率となるＤ14で、寸法設定される。ここで、前頭部３１ａとの境界線３５ｆは、天頂部３１ｅとの境界線３５ｃの前端から右斜め方向に延設される一方、後頭部３１ｄとの境界線３５ｈは、天頂部３１ｅと後頭部３１ｄとの境界線３５ｄを右側にその境界線３５ｄに沿って延設している。【００５９】
後頭部３１ｄは、天頂部３１ｅとの境界線３５ｄ及び左右の側頭部３１ｂ，３１ｃとの境界線３５ｇ，３５ｈで画成される。天頂部３１ｅとの境界線３５ｄ上で左右の長さはＤ12＋Ｄ13であるが、左右の側頭部３１ｂ，３１ｃの外周縁まで延設される。また、天頂部３１ｅとの境界線３５ｄからかつらベース３１の後縁までの長さが、かつらベース３１の前後長Ｌの１／４の比率となるＬ14で寸法設定される。ここで、後頭部３１ｄの左右の側頭部３１ｂ，３１ｃとの境界線３５ｇ，３５ｈは、天頂部３１ｅと後頭部３１ｄとの境界線３５ｄを左右にそれぞれ延設している。そのため、後頭部３１ｄに植設される毛髪は、装着者の自毛と共に頭皮に平伏して、自毛と毛髪とが馴染む。よって、髪が不適切に分かれないので、かつら装着の露見を防止する。【００６０】
以上のように、天頂部３１ｅは、装着者の外観やヘアスタイルを左右する重要な領域であるために、できるだけ広く確保する必要があるので、縦Ｌの１／２の比率と横Ｄの１／２の比率の各寸法を有するよう構成される。一方、装着者の自毛のカール径や長さを配慮して選択された毛髪が植設される前頭部３１ａ，左右の側頭部３１ｂ，３１ｃ及び後頭部３１ｄは、前頭部３１ａ、左右の側頭部３１ｂ，３１ｃ、後頭部３１ｄとの境界線３５ａ〜３５ｄから外方向に概略縦Ｌの１／４の比率と横Ｄの１／４の比率の寸法を有するよう、バランスよく区分配置される。これにより、装着者の外観やヘアスタイルを左右する重要な領域である天頂部３３ｅをできるだけ広く確保することができ、しかも、装着者の自毛のカール径や長さに合わせた毛髪を植設する前頭部３１ａ、左右の側頭部３１ｂ，３１ｃ、後頭部３１ｄの各領域には、装着者の自毛と十分馴染むだけの毛髪を植設することができる。よって、装着者の好みのヘアスタイルを形成することができ、かつ、かつらに植設した毛髪が自毛と馴染みかつら装着が露見されない。【００６１】
次に、図１０と異なる比率で分割された比較例を説明する。
図１１は、かつらベースの領域区分に関する第１の比較例を示す図である。図中のＬ、Ｄ及び矢印は図１０の場合と同様である。図１１に示すかつらベース３２は、図１０と同様、前頭部３２ａ、左右の側頭部３２ｂ，３２ｃ、後頭部３２ｄ及び天頂部３２ｅの５つの領域に区分される点で共通しているが、かつらベース３２の前後長Ｌを３等分した長さ、区域を前頭部側から順にＬ15〜Ｌ17とし、左右の長さＤを３等分した長さ、区域を左側頭部側から順にＤ15〜Ｄ17とし、縦横それぞれ３等分した仮想線を図面上に示している点で図１０とは異なる。即ち、天頂部３２ｅは、左側頭部３２ｂとの境界線３６ｂ及び右側頭部３２ｃとの境界線３６ｃがＬ16の長さでなる区間となり、前頭部３２ａとの境界線３６ａ及び後頭部３２ｄとの境界線３６ｄがＤ16の長さでなる区間となるよう、かつらベース３２の中心領域に画成される。つまり、天頂部３２ｅの領域は、かつらベース３２の前後長Ｌ及び左右長Ｄのそれぞれ１／３の長さで画成される。【００６２】
左側頭部３２ｂは、前頭部３２ａとの境界線３６ｅ、天頂部３２ｅとの境界線３６ｂ及び後頭部３２ｄとの境界線３６ｇで画成される点で図１０の場合と同じであるが、天頂部３２ｅとの境界線３６ｂ上で前後の長さがＬ16となり、天頂部３２ｅとの境界線３６ｂからかつらベース３２の左縁までの長さがかつらベース３２の左右長Ｄの１／３の比率となるＤ15となるよう寸法設定される点で図１０の場合と異なる。右側頭部３２ｃは、前頭部３２ａとの境界線３６ｆ、天頂部３２ｅとの境界線３６ｃ及び後頭部３２ｄとの境界線３６ｈで画成される点で図１０の場合と同じであるが、天頂部３２ｅとの境界線３６ｃ上で前後の長さがＬ16となり、天頂部３２ｅとの境界線３６ｃからかつらベース３２の右縁までの長さがかつらベース３２の左右長Ｄの１／３の比率となるＤ17となるよう寸法設定される点で異なる。左右の側頭部３２ｂ，３２ｃにおいて、前頭部３２ａとの境界線３６ｅ，３６ｆが天頂部３２ｅとの境界線３６ｃの前端から左右斜め方向に延設され、後頭部３２ｄとの境界線３６ｇ，３６ｈが天頂部３２ｅと後頭部３２ｄとの境界線３５ｄを左右側に延設される点は図１０と同じである。【００６３】
図１１に示す領域区分では、天頂部３２ｅを前後長Ｌの１／３の比率と左右長Ｄの１／３の比率で寸法設定するので、第１に、装着者の外観やヘアスタイルを左右する重要な領域である天頂部３２ｅを広く確保することができず、装着者が所望するヘアスタイルを形成することができなくなるので好ましくない。第２に、天頂部３２ｅと比べ前頭部３２ａ、左右の側頭部３２ｂ，３２ｃ、後頭部３２ｄの各領域の面積が広くなり、かつらベース３２全体に植設された毛髪のバランスがとれず、かつら装着を視認されてしまうので好ましくない。【００６４】
図１２は、かつらベースの領域区分に関する第２の比較例を示す図である。図中のＬ、Ｄ及び矢印は図１０の場合と同様である。図１２に示すかつらベース３３は、図１０と同様、前頭部３３ａ、左右の側頭部３３ｂ，３３ｃ、後頭部３３ｄ及び天頂部３３ｅの５つの領域に区分される点では共通しているが、かつらベース３３の前後長Ｌを５等分した長さ、区域を前頭部側から順にＬ18〜Ｌ22とし、左右の長さＤを５等分した長さ、区域を左側頭部側から順にＤ18〜Ｄ22とし、縦横それぞれ５等分した仮想線を図面上に示している点で図１０とは異なる。即ち、天頂部３３ｅは、左側頭部３３ｂとの境界線３７ｂ及び右側頭部３３ｃとの境界線３７ｃがＬ19＋Ｌ20＋Ｌ21の長さでなる区間となり、前頭部３３ａとの境界線３７ａ及び後頭部３３ｄとの境界線３７ｄがＤ19＋Ｄ20＋Ｄ21の長さでなる区間となるよう、かつらベース３３の中心領域に画成される。つまり、天頂部３３ｅの領域は、かつらベース３３の前後長Ｌ及び左右長Ｄのそれぞれ３／５の長さで画成される。【００６５】
左側頭部３３ｂは、前頭部３３ａとの境界線３７ｅ、天頂部３３ｅとの境界線３７ｂ及び後頭部３３ｄとの境界線３７ｇで画成される点で図１０の場合と同じであるが、天頂部３３ｅとの境界線３７ｂ上で前後の長さがＬ19＋Ｌ20＋Ｌ21となり、天頂部３３ｅとの境界線３７ｂからかつらベース３３の左縁までの長さがかつらベース３３の左右長Ｄの１／５の比率となるＤ18となるよう寸法設定される点で図１０の場合と異なる。右側頭部３３ｃは、前頭部３３ａとの境界線３７ｆ、天頂部３３ｅとの境界線３７ｃ及び後頭部３３ｄとの境界線３７ｈで画成される点では図１０の場合と同じであるが、天頂部３３ｅとの境界線３７ｃ上で前後の長さがＬ19＋Ｌ20＋Ｌ21となり、天頂部３３ｅとの境界線３７ｃからかつらベース３３の右縁までの長さが、かつらベース３３の左右長Ｄの１／５の比率となるＤ22となるよう寸法設定される点で異なる。左右の側頭部３３ｂ，３３ｃにおいて、前頭部３３ａとの境界線３７ｅ，３７ｆが天頂部３３ｅとの境界線３７ｃの前端から左右斜め方向に延設され、後頭部３３ｄとの境界線３７ｇ，３７ｈが天頂部３３ｅと後頭部３３ｄとの境界線３７ｄを左右側に延設される点は図１０と同じである。【００６６】
図１２に示す領域区分では、天頂部３３ｅを前後長Ｌの３／５の比率と左右長Ｄの３／５の比率で寸法設定するので、装着者の外観やヘアスタイルを左右する重要な領域である天頂部３３ｅを広く確保することはできる。しかしながら、装着者の自毛のカール径や長さに合わせた毛髪を植設する前頭部３３ａ、左右の側頭部３３ｂ，３３ｃ、後頭部３３ｄの各領域が狭まってしまうため、装着者の自毛と植設されている毛髪が十分馴染まないので、好ましくない。【００６７】
ところで、図５に示すトップ装着型のかつらベース３１に植設される毛髪は、図９に示すように、全周縁領域３１Ａ、主要領域３１Ｂ及びその間の調整領域３１Ｃ毎に決められた所定の曲げ剛性値を有する。かつらベース３１の全周縁領域３１Ａに植設される毛髪３２は、装着者の脱毛部又は薄毛部の周辺領域に自毛と混ぜ合わせて配置されるため、天然毛髪よりも低い曲げ剛性値を有する。これに対し、かつらベース３１のうち天頂部３１ｅの領域３１Ｂに植設される毛髪は、天然毛髪と同程度の曲げ剛性値を有する。そして、かつらベース３１の全周縁領域３１Ａと天頂部３１ｅの領域３１Ｂとの間の調整領域３１Ｃに植設される毛髪は、全周縁領域３１Ａに植設される毛髪と天頂部３１ｅの領域３１Ｂに植設される毛髪との中間的な曲げ剛性値を有するようにする。ここで、中間的な曲げ剛性を有するようにするため、後述するように、天然毛髪よりも低い曲げ剛性値を有する毛髪と天然毛髪と同程度の曲げ剛性値を有する毛髪とを所定の本数の割合で混ぜたり、全周縁領域３１Ａに植設される毛髪の曲げ剛性値と天頂部３１ｅの領域３１Ｂに植設される毛髪の曲げ剛性値との間の所定の値を有するよう構造や寸法を調整する。これにより、フロント隠蔽型のかつらと同様、トップ装着型のかつらにおいても、脱毛部周辺の自毛とかつらベース３１の全周縁領域３１Ａに植設した毛髪とが馴染み、かつ、かつらベースに植設した毛髪同士で段差が生じることなく馴染むことから、かつら装着が露見されにくい。【００６８】
かつらベース３１の領域毎に植設される毛髪は、所定の曲げ剛性値を有するだけでなく、領域毎に所定のカール径及び／又は長さを有することが好ましい。即ち、トップ装着型のかつらでは、全周縁領域３１Ａに植設する毛髪３２は、かつら装着領域周辺の自毛と同等の曲げ剛性値を有するだけでなく、カール径や長さが同等であることが好ましい。天頂部３１ｅの領域３１Ｂに植設する毛髪３３と全周縁領域３１Ａに植設する毛髪３２とがカール径や長さの点で異なる場合には、徐々に、カール径及び／長さを変化させることで、かつらベース３１に植設した毛髪により段差が生ぜず、かつら装着を露見されない。かつらを装着する前、又はかつらを装着した際に、かつらベース３１に植設した毛髪にカールを付け、かつ長さを調整することは可能ではあるが、作業工程が複雑となり好ましくない。【００６９】
ここで、かつらベースに対し領域毎に長さやカール径が異ならない毛髪を植設したかつらと比較すると、この比較例のかつらでは一本毎の長さやカール径が同一であるため、全体的に毛髪が揃いすぎ、自由なヘアスタイルを形成することができないので好ましくない。このような毛髪が揃いすぎたかつらを装着しても、ヘアスタイル調整のため、かつらベースに植設した毛髪をカットする必要がある。逆に、かつらベースに対しランダムに長さ及びカール径の異なる毛髪を植設してなるかつらと比較すると、この比較例のかつらではヘアスタイル自体に自由度が生じるが、ばらばらになり過ぎ、ヘアスタイルとしてのまとまりに欠け好ましくない。それに対し、本発明のかつらのようにかつらベースの領域毎に、所定の長さ及びカール径の毛髪を植設することで、自由なヘアスタイルを形成することができる。【００７０】
次に、かつらベース１１，３１に植設される毛髪について説明する。かつらベース１１，３１に植設する毛髪は、かつらベース１１，３１の区分領域毎に、異なる曲げ剛性値を有するように形成することができる。毛髪として例えば鞘／芯構造のポリアミド系繊維でなる人工毛髪を用いることができる。【００７１】
このような鞘／芯構造のポリアミド系繊維でなる人工毛髪は、ポリアミド繊維の特質を活かし、芯部を曲げ剛性の高いポリアミド繊維とし、鞘部を芯部よりも曲げ剛性の低いポリアミド繊維とし、鞘部と芯部との質量比を調整することで、人工毛髪全体としての曲げ剛性値を制御することができる。芯部の材料となるポリアミド樹脂として、強度と剛性が高い半芳香族のポリアミド樹脂、例えば、化学式１で表わされるヘキサメチレンジアミンとテレフタール酸との交互共重合体からなる高分子、例えばナイロン６Ｔ又は化学式２で表わされるアジピン酸とメタキシリレンジアミンとをアミド結合で交互に結合した高分子、例えばナイロンＭＸＤ６などを用いることができる。なお、芯部の材料として化学式２で表される高分子材料を用いてなる人工毛髪の方が、芯部の材料として化学式１で表される高分子材料を用いてなる人工毛髪と比べヘアセットが行い易い点で好ましい。
【化１】
0005166234.tif 000002
【化２】
0005166234.tif 000003
【００７２】
鞘部の材料となるポリアミド樹脂として、芯部の材料よりも曲げ剛性の低いポリアミド樹脂、例えば直鎖飽和脂肪族ポリアミドとして、化学式３で表わされるカプロラクタムの開環重合体からなる高分子、例えばナイロン６又は化学式４で表わされるヘキサメチレンジアミンとアジピン酸との交互共重合体からなる高分子、例えばナイロン６６などを用いることができる。
【化３】
0005166234.tif 000004
【化４】
0005166234.tif 000005
【００７３】
このように、ポリアミド系の人工毛髪として、芯部に曲げ剛性の高いポリアミドを用い、鞘部には芯部よりも曲げ剛性の低いポリアミドを用いた鞘／芯構造とし、その鞘部と芯部との質量比を調整することで、所望の曲げ剛性値を有する繊維を得ることができる。【００７４】
この曲げ剛性値は一般に繊維などに適用される物性値であり、毛髪の場合にも風合い（外観、触感、質感）などの感覚的な性状に相関する物性として近年認知されている。繊維の曲げ剛性の測定は織物に関して川端式測定法とその原理が広く公知であるが、これを改良したシングルヘアーベンディングテスター（カトーテック（株）製、モデルＫＥＳ−ＦＢ２−ＳＨ）を用いて、人工毛髪の曲げ剛性を測定した。人工毛髪及び天然毛髪の何れの場合にも、各１ｃｍの１本について、毛髪全体を一定曲率まで円弧状に等速度で曲げ、それに伴う微小な曲げモーメントを検出し、曲げモーメントと曲率の関係を測定した。これから、曲げモーメント／曲率変化により曲げ剛性値を求めた。代表的な測定条件を下記に示す。
（測定条件）
チャック間距離：１ｃｍ
トルク検出器：トーションワイヤー（スチールワイヤー）のねじれ検出方式
トルク感度：１．０ｇｆ・ｃｍ（フルスケール１０Ｖにおいて）
曲率：±２．５ｃｍ-1
曲げ変位速度：０．５ｃｍ-1／ｓｅｃ
測定サイクル：１往復
ここで、チャックは、上記１ｃｍの各毛髪を挟み込む機構である。【００７５】
鞘をナイロン６又はナイロン６６、芯をナイロン６Ｔ又はナイロンＭＸＤ６とし、溶融紡糸時の鞘／芯成分の吐出容量比が１／２（鞘／芯の質量比で３２／６８）に近い値で製造した人工毛髪の曲げ剛性値は、天然毛髪の曲げ剛性値の最小値（約６．５×１０-3ｇｆ・ｃｍ2／本）付近となった。【００７６】
溶融紡糸時の鞘／芯成分の吐出容量比が１／７（鞘／芯の質量比で１２／８８）に近い値で製造した人工毛髪では、天然毛髪の曲げ剛性値の最大値（約７．８×１０-3ｇｆ・ｃｍ2／本）付近となる。
なお、天然毛髪とはヒトの頭部に生えている一般的な頭髪を指すが、天然毛髪の曲げ剛性値は個体差が大きいため、年齢層２０〜５０歳代各層の男性２５名、女性３８名から頭髪を採取し、そのうち径８０μｍの試料についての曲げ剛性を同じ測定環境下、即ち、温度２２℃、湿度４０％の環境下で測定した値である。以下に示す曲げ剛性値は、何れも温度２２℃、湿度４０％の環境下での値である。【００７７】
次に、このように所定の曲げ剛性値を有する人工毛髪を、かつらベースに植設するパターンについて説明する。
先ず、フロント隠蔽型のかつらの場合を説明する。図１３は、植設パターンの第１乃至第４形態におけるかつらベース１１に植設する毛髪の特性を示す図表である。【００７８】
かつらベース１１に対する毛髪の植設パターンの第１形態を説明する。第１形態は一般的な装着者に適している。かつら用毛髪は鞘／芯構造のポリアミド系繊維で構成されている。かつらベース１１の周縁部１１ａには天然毛髪の曲げ剛性値の最小値（約６．５×１０-3ｇｆ・ｃｍ2／本）より約４０％低くした３．９×１０-3ｇｆ・ｃｍ2／本の曲げ剛性値を有する人工毛髪を植設する。その内側の第２帯部１１ｅには、３．９×１０-3ｇｆ・ｃｍ2／本の曲げ剛性値を有する人工毛髪と６．５×１０-3ｇｆ・ｃｍ2／本の曲げ剛性値を有する人工毛髪とを質量比で半々になるよう均等に分布させて植設する。その内側の第１帯部１１ｄ、天頂部１１ｃ及び前頭部１１ｂには６．５×１０-3ｇｆ・ｃｍ2／本の曲げ剛性値を有する人工毛髪を植設する。ここで、天然毛髪の曲げ剛性値は個体差があり、装着者の頭皮から生育している毛髪は一般的に曲げ剛性が低い。第１形態のかつらは、装着者の自毛の曲げ剛性値が約３．４〜４．４×１０-3ｇｆ・ｃｍ2／本の場合を想定している。なお、かつらの少なくとも周縁部に植設する毛髪の曲げ剛性値は、装着者の自毛の曲げ剛性値に対して、±０．５〜０．８×１０-3ｇｆ・ｃｍ2／本程度であれば許容できる範囲である。このようにして一般の天然毛髪より曲げ剛性値が低い人工毛髪をかつらベース１１の周縁部１１ａに植設することで、植設した人工毛髪が装着者の自毛となじみ易い。【００７９】
このように、かつらベース１１の周縁部１１ａに植設される毛髪は、天然毛髪よりも低い曲げ剛性値、すなわち、装着者の自毛と同程度の曲げ剛性値を有する一方、自毛と混ざる可能性が少ない天頂部１１ｃ及び前頭部１１ｂに植設される毛髪は、周縁部１１ａに植設される毛髪と比べて高い曲げ剛性値を有する。このため、かつらベース１１の周縁部１１ａに植設される毛髪は、装着者の頭皮から生育する残毛と混ざり易く、湿度など環境の影響により自毛と同様の類似した挙動を示すので、かつら装着を察知される蓋然性が低い。加えて、前頭部１１ｂ，天頂部１１ｃ及び第１帯部１１ｄに植設される毛髪は、装着者の残毛よりも高い剛性を有しているので、装着者のニーズに応じて各種のヘアスタイルとすることができる。【００８０】
次に、かつらベース１１に対する毛髪の植設パターンの第２形態を説明する。第１形態と異なる点は、かつらベース１１の前頭部１１ｂ、天頂部１１ｃ及び第１帯部１１ｄに植設される毛髪並びに第２帯部１１ｅに均等に混ぜて植設される毛髪の剛性を低くした点である。かつらベースに植設される毛髪は鞘／芯構造のポリアミド繊維でなる点は、第１形態と同様である。
かつらベース１１の周縁部１１ａには３．９×１０-3ｇｆ・ｃｍ2／本の曲げ剛性値を有する人工毛髪を植設する。内側の第２帯部１１ｅには、３．９×１０-3ｇｆ・ｃｍ2／本の曲げ剛性値を有する人工毛髪と５．２×１０-3ｇｆ・ｃｍ2／本の曲げ剛性値を有する人工毛髪とを質量比で半々に混ぜて均等に分布させて植設する。内側の第１帯部１１ｄ、天頂部１１ｃ及び前頭部１１ｂには５．２×１０-3ｇｆ・ｃｍ2／本の曲げ剛性値を有する人工毛髪を植設する。
第２形態は第１形態と異なり、前頭部１１ｂ、天頂部１１ｃ及び第１帯部１１ｄに植設される毛髪の曲げ剛性値が第１形態と比べて低く、かつらに植設した毛髪全体が天然毛髪の曲げ剛性値より低く設定しているので、比較的柔らかい髪質の装着者に適している。即ち、曲げ剛性値が、約３．１〜４．７×１０-3ｇｆ・ｃｍ2／本の自毛を有する使用者に適している。【００８１】
かつらベース１１に対する毛髪の植設パターンの第３形態を説明する。第１形態と異なる点は、第２形態とは逆に、かつらベース１１の前頭部１１ｂ、天頂部１１ｃ及び第１帯部１１ｄに植設される毛髪並びに第２帯部１１ｅに混ぜて植設される毛髪の剛性を強めた点である。かつらベース１１に植設される毛髪は鞘／芯構造のポリアミド繊維でなる点は、第１形態と同様である。
かつらベース１１の周縁部１１ａには３．９×１０-3ｇｆ・ｃｍ2／本の曲げ剛性値の人工毛髪を植設する。内側の第２帯部１１ｅには、３．９×１０-3ｇｆ・ｃｍ2／本の曲げ剛性値の人工毛髪と７．８×１０-3ｇｆ・ｃｍ2／本の曲げ剛性値の人工毛髪とを質量比で半々に混ぜて均等に分布させて植設する。内側の第１帯部１１ｄ、天頂部１１ｃ及び前頭部１１ｂには７．８×１０-3ｇｆ・ｃｍ2／本の曲げ剛性値の人工毛髪を植設する。
第１形態と異なり、前頭部１１ｂ、天頂部１１ｃ及び第１帯部１１ｄに植設される毛髪の曲げ剛性値を第１形態と比べて高くし、天然毛髪との格差を大きくして、ボリューム感やゴアゴア感を持たせることができ、今までなし得なかった、例えば髪が立ったヘアスタイルを形成することができる。よって、ボリューム感のあるヘアスタイルを要求する装着者の場合に適している。第３形態のかつらは、装着者の自毛の曲げ剛性値が約３．４〜４．４×１０-3ｇｆ・ｃｍ2／本の場合を想定している。【００８２】
かつらベース１１に対する毛髪の植設パターンの第４形態を説明する。第４形態は、第３形態と比べ、かつらベース１１の周縁部１１ａに植設される毛髪及び第２帯部１１ｅに混ぜて植設される毛髪の剛性を強めた点で異なる。装着者の残毛がかつらを必要としない人の天然毛髪と同程度の剛性を有している場合に適している。かつらベース１１に植設される毛髪は鞘／芯構造のポリアミド繊維でなる点は、第１形態と同様である。
かつらベース１１の周縁部１１ａには５．２×１０-3ｇｆ・ｃｍ2／本の曲げ剛性値の人工毛髪を植設する。内側の第２帯部１１ｅには、５．２×１０-3ｇｆ・ｃｍ2／本の曲げ剛性値の人工毛髪と７．８×１０-3ｇｆ・ｃｍ2／本の曲げ剛性値の人工毛髪とを質量比で半々に混ぜて均等に分布させて植設する。その内側の第１帯部１１ｄ、天頂部１１ｃ及び前頭部１１ｂには７．８×１０-3ｇｆ・ｃｍ2／本の曲げ剛性値の人工毛髪を植設する。
第３形態と異なり、装着者の残毛の剛性が一般的な天然毛髪と同様の剛性を有している場合、即ち、装着者の残毛の曲げ剛性値が約５．０〜６．５×１０-3ｇｆ・ｃｍ2／本であると、残毛と同程度の剛性を有する人工毛髪を周縁部１１ａに植設することで、装着者の残毛の程度に対応させることができる。かつらベース１１の前頭部１１ｂや天頂部１１ｃには剛性のある人工毛髪を植設しているので、ボリューム感のあるヘアスタイルを形成し、ヘアの乱れを防止することができる。【００８３】
以上説明したように、かつらベースに植設される人工毛髪は、第１乃至第４形態では何れも、鞘／芯構造を有するポリアミド系繊維で構成されるが、以下の第５乃至第８形態として説明するように、鞘／芯構造のポリアミド系繊維でなる第１の人工毛髪とポリエステル系繊維でなる第２の人工毛髪とを適宜所定の割合で均一に混ぜ、かつらベースの区分領域に植設してもよい。【００８４】
ポリエステル系繊維でなる第２の人工毛髪は、次のような構造を有する。ポリエステル系繊維でなる第２の人工毛髪は、例えばポリエチレンテレフタレートでなる繊維の直径を調整したり、紡糸に際して溶融する原料としてのポリエチレンテレフタレートにポリブチレンテレフタレートの混合比を調整したりすることにより、毛髪の曲げ剛性値を変えることができる。ポリエチレンテレフタレートを主成分とする人工毛髪は、直径が大きくなると曲げ剛性値が直線的に増加する。例えば、平均直径が５０μｍから７０μｍに増加すると、曲げ剛性値が６．７０×１０-3ｇｆ・ｃｍ2／本から７．６７×１０-3ｇｆ・ｃｍ2／本に増加する。一方、ポリエチレンテレフタレートにポリブチレンテレフタレートを混入し、その混入割合を増加させることで、曲げ剛性値を減少させることができる。この第２の人工毛髪のポリエステル系人工毛髪を第１の人工毛髪のポリアミド系人工毛髪に分散させて混入することにより、ポリアミド系繊維の人工毛髪の集束性を抑制し、より天然毛髪に近い風合いを得ることができる。【００８５】
かつらベース１１に対する毛髪の植設パターンの第５形態を説明する。図１４は、植設パターンの第５形態におけるかつらベース１１に植設する毛髪の特性を示す図表である。この第５形態は、前述の第１形態の変形例である。かつらベース１１に植設される毛髪として、鞘／芯構造のポリアミド系繊維でなる第１の人工毛髪とポリエステル系繊維でなる第２の人工毛髪とを用いる点で異なる。
かつらベース１１の第２帯部１１ｅには、３．９×１０-3ｇｆ・ｃｍ2／本の曲げ剛性値の第１の人工毛髪と６．５×１０-3ｇｆ・ｃｍ2／本の曲げ剛性値の第１の人工毛髪とを質量比で半々になるよう均等に分布させるように混ぜて、更に６．５×１０-3ｇｆ・ｃｍ2／本の曲げ剛性値の第２の人工毛髪を均等に混ぜて植設する。このとき、第１の人工毛髪と第２の人工毛髪との混合率を質量比で８０：２０とする。第１帯部１１ｄ、天頂部１１ｃ及び前頭部１１ｂには、それぞれ、６．５×１０-3ｇｆ・ｃｍ2／本の曲げ剛性値の第１の人工毛髪と６．５×１０-3ｇｆ・ｃｍ2／本の曲げ剛性値の第２の人工毛髪を均質に混ぜて植設する。このとき、第１の人工毛髪と第２の人工毛髪との混合率を質量比で８０：２０とする。以上のように、前頭部１１ｂ、天頂部１１ｃ、第１帯部１１ｄには、第２の人工毛髪のポリエステル系繊維が、第１の人工毛髪のポリアミド系繊維中に混ぜ合わさって植設されているので、ポリアミド系繊維の集束性を抑え、さらさら感のあるヘアスタイルを形成することができる。【００８６】
かつらベース１１に対する毛髪の植設パターンの第６乃至第８形態を説明する。この第６乃至第８形態は、それぞれ前述の第２乃至第４形態の変形例である。何れも、かつらベース１１に植設される毛髪として、鞘／芯構造のポリアミド系繊維でなる第１の人工毛髪とポリエステル系繊維でなる第２の人工毛髪とを用いる点で異なる。
図１５は植設パターンの第６形態におけるかつらベース１１に植設する毛髪の特性を示す図表である。第６形態では、かつらベース１１の第２帯部１１ｅには、３．９×１０-3ｇｆ・ｃｍ2／本の曲げ剛性値を有する第１の人工毛髪と５．２×１０-3ｇｆ・ｃｍ2／本の曲げ剛性値を有する第１の人工毛髪とを質量比で半々になるよう均等に分布させるように混ぜて、更に６．５×１０-3ｇｆ・ｃｍ2／本の曲げ剛性値を有する第２の人工毛髪を均質に混ぜて植設する。このとき、第１の人工毛髪と第２の人工毛髪との混合率を質量比で８０：２０とする。第１帯部１１ｄ、天頂部１１ｃ及び前頭部１１ｂには、それぞれ、５．２×１０-3ｇｆ・ｃｍ2／本の曲げ剛性値の第１の人工毛髪と６．５×１０-3ｇｆ・ｃｍ2／本の曲げ剛性値の第２の人工毛髪を均質に混ぜて植設する。このとき、第１の人工毛髪と第２の人工毛髪との混合率を質量比で８０：２０とする。【００８７】
図１６は植設パターンの第７形態におけるかつらベース１１に植設する毛髪の特性を示す図表である。第７形態では、かつらベース１１の第２帯部１１ｅには、３．９×１０-3ｇｆ・ｃｍ2／本の曲げ剛性値の第１の人工毛髪と７．８×１０-3ｇｆ・ｃｍ2／本の曲げ剛性値の第１の人工毛髪とを質量比で半々になるよう均等に分布させるように混ぜて、更に６．５×１０-3ｇｆ・ｃｍ2／本の曲げ剛性値の第２の人工毛髪を均質に混ぜて植設する。このとき、第１の人工毛髪と第２の人工毛髪との混合率を質量比で８０：２０とする。第１帯部１１ｄ、天頂部１１ｃ及び前頭部１１ｂには、それぞれ、７．８×１０-3ｇｆ・ｃｍ2／本の曲げ剛性値を有する第１の人工毛髪と６．５×１０-3ｇｆ・ｃｍ2／本の曲げ剛性値を有する第２の人工毛髪を均質に混ぜて植設する。このとき、第１の人工毛髪と第２の人工毛髪との混合率を質量比で８０：２０とする。【００８８】
図１７は植設パターンの第８形態におけるかつらベース１１に植設する毛髪の特性を示す図表である。第８形態では、かつらベース１１の第２帯部１１ｅには、５．２×１０-3ｇｆ・ｃｍ2／本の曲げ剛性値を有する第１の人工毛髪と７．８×１０-3ｇｆ・ｃｍ2／本の曲げ剛性値を有する第１の人工毛髪とを質量比で半々になるよう均等に分布させて混ぜて、更に６．５×１０-3ｇｆ・ｃｍ2／本の曲げ剛性値を有する第２の人工毛髪を均質に混ぜて植設する。このとき、第１の人工毛髪と第２の人工毛髪との混合率を質量比で８０：２０とする。第１帯部１１ｄ、天頂部１１ｃ及び前頭部１１ｂには、それぞれ、７．８×１０-3ｇｆ・ｃｍ2／本の曲げ剛性値を有する第１の人工毛髪と６．５×１０-3ｇｆ・ｃｍ2／本の曲げ剛性値を有する第２の人工毛髪を均質に混ぜて植設する。このとき、第１の人工毛髪と第２の人工毛髪との混合率を質量比で８０：２０とする。【００８９】
第６乃至第８形態は、第５形態と同様、それぞれ第２乃至第４形態として示したかつらの好適な場合において、更に、第２の人工毛髪であるポリエステル系繊維が第１の人工毛髪であるポリアミド系繊維の集束性を抑え、さらさら感のあるヘアスタイルを形成することができる。【００９０】
以上の第１乃至第８形態では、フロント隠蔽型のかつらにおいて領域毎に曲げ剛性値の異なる毛髪を植設する場合を示しているが、第１乃至第８形態の各場合においてさらに５つの領域毎にカール径及び／又は長さが異なる毛髪を植設するにしてもよい。以下、第９形態及び第１０形態として、第１形態で更に各部位毎にカール径及び長さが定められた毛髪を植設した例を説明するが、曲げ剛性値はかつらベースの領域によらずほぼ同一であり、カール径及び／又は長さが異なるようにしてもよい。【００９１】
かつらベース１１に対する毛髪の植設パターンの第９形態を説明する。図１８は、植設パターンの第９形態におけるかつらベース１１に植設する毛髪の特性を示す図表である。第９形態が第１形態と異なる点は、周縁部１１ａ、前頭部１１ｂ、天頂部１１ｃ、第１帯部１１ｄ及び第２帯部１１ｅに植設される毛髪が、植設される部位毎に所定の曲げ剛性値を有するだけでなく、部位毎に所定のカール径及び／又は長さを有する点である。
周縁部１１ａには、カール径が３５ｍｍ、長さが９ｃｍ、曲げ剛性値が３．９×１０-3ｇｆ・ｃｍ2／本である毛髪を植設する。前頭部１１ｂには、カール径が２３ｍｍ、長さが７ｃｍ、曲げ剛性値が６．５×１０-3ｇｆ・ｃｍ2／本である毛髪を植設する。天頂部１１ｃには、カール径が２６ｍｍ、長さが６ｃｍ、曲げ剛性値が６．５×１０-3ｇｆ・ｃｍ2／本である毛髪を植設する。第１帯部１１ｄには、カール径が２８ｍｍ、長さが７ｃｍ、曲げ剛性値が６．５×１０-3ｇｆ・ｃｍ2／本である毛髪を植設する。第２帯部１１ｅには、カール径が３２ｍｍ、長さが８ｃｍ、曲げ剛性値が３．９×１０-3ｇｆ・ｃｍ2／本である毛髪と、カール径が３２ｍｍ、長さが８ｃｍ、曲げ剛性値が６．５×１０-3ｇｆ・ｃｍ2／本である毛髪とを半々に混ぜて植設する。【００９２】
かつらベース１１に対する毛髪の植設パターンの第１０形態を説明する。図１９は、植設パターンの第１０形態におけるかつらベース１１に植設する毛髪の特性を示す図表である。第１０形態が第１形態と異なる点は、周縁部１１ａ、前頭部１１ｂ、天頂部１１ｃ、第１帯部１１ｄ及び第２帯部１１ｅに植設される毛髪が、植設される部位毎に所定の曲げ剛性値を有するだけでなく、部位毎に所定のカール径及び／又は長さを有する点である。
周縁部１１ａには、カール径が４０ｍｍ、長さが１０ｃｍ、曲げ剛性値が３．９×１０-3ｇｆ・ｃｍ2／本である毛髪を植設する。前頭部１１ｂには、カール径が３０ｍｍ、長さが８ｃｍ、曲げ剛性値が６．５×１０-3ｇｆ・ｃｍ2／本である毛髪を植設する。天頂部１１ｃには、カール径が３５ｍｍ、長さが７ｃｍ、曲げ剛性値が６．５×１０-3ｇｆ・ｃｍ2／本である毛髪を植設する。第１帯部１１ｄには、カール径が３５ｍｍ、長さが８ｃｍ、曲げ剛性値が６．５×１０-3ｇｆ・ｃｍ2／本である毛髪を植設する。第２帯部１１ｅには、カール径が４０ｍｍ、長さが９ｃｍ、曲げ剛性値が３．９×１０-3ｇｆ・ｃｍ2／本である毛髪と、カール径が４０ｍｍ、長さが９ｃｍ、曲げ剛性値が６．５×１０-3ｇｆ・ｃｍ2／本である毛髪とを半々に混ぜて植設する。【００９３】
第９形態及び第１０形態として、第１形態で更に各部位毎にカール径及び長さが定められた毛髪を植設した例を説明したが、第２形態乃至第８形態でも同様に各部位毎にカール径及び長さが定められた毛髪を植設してかつらを構成してもよい。【００９４】
次に、トップ装着型のかつらについて説明する。
図２０は、植設パターンの第１１乃至第１３形態におけるかつらベース３１に植設する毛髪の特性を示す図表である。かつらベース３１に対する毛髪の植設パターンの第１１形態を説明する。この第１１形態は一般的な装着者に適している。かつらベース３１に植設される毛髪は鞘／芯構造のポリアミド系繊維で構成されている。かつらベース３１の全周縁領域３１Ａには天然毛髪の曲げ剛性値の最小値（約６．５×１０-3ｇｆ・ｃｍ2／本）より約４０％低くした３．９×１０-3ｇｆ・ｃｍ2／本の曲げ剛性値を有する人工毛髪を植設する。その内側の調整領域３１Ｃには、３．９×１０-3ｇｆ・ｃｍ2／本の曲げ剛性値を有する人工毛髪と６．５×１０-3ｇｆ・ｃｍ2／本の曲げ剛性値を有する人工毛髪とを質量比で半々になるよう均等に分布させて植設する。その内側の天頂部３１ｅの領域３１Ｂには６．５×１０-3ｇｆ・ｃｍ2／本の曲げ剛性値を有する人工毛髪を植設する。ここで、天然毛髪の曲げ剛性値は個体差があり、かつらを必要としている者の頭皮から生育している毛髪は一般的に曲げ剛性が低い。第１１形態のかつらは、装着者の自毛の曲げ剛性値が約３．４〜４．４×１０-3ｇｆ・ｃｍ2／本の場合を想定している。【００９５】
このように、かつらベース３１の全周縁領域３１Ａに植設される毛髪は、平均的な天然毛髪よりも低い曲げ剛性値、すなわち、装着者の自毛と同程度の曲げ剛性値を有する一方、自毛と混ざる可能性が少ない天頂部３１ｅの領域３１Ｂに植設される毛髪は、全周縁領域３１Ａに植設される毛髪と比べて高い曲げ剛性値を有する。このため、かつらベース３１の全周縁領域３１Ａに植設される毛髪は、装着者の頭皮から生育する残毛と混ざり易く、湿度など環境の影響により自毛と同様類似した挙動を示すので、かつら装着を察知される蓋然性が低い。加えて、天頂部３１ｅの領域３１Ｂ及び調整領域３１Ｃに植設される毛髪は、装着者の残毛よりも高い剛性を有しているので、ボリューム感が出しやすく、装着者のニーズに応じて各種のヘアスタイルとすることができる。【００９６】
かつらベース３１に対する毛髪の植設パターンの第１２形態を説明する。第１１形態と異なる点は、かつらベース３１の天頂部３１ｅの領域３１Ｂに植設される毛髪及び調整領域３１Ｃに均等に混ぜて植設される毛髪の剛性を低くした点である。毛髪が鞘／芯構造のポリアミド繊維でなる点は第１１形態と同様である。かつらベース３１の全周縁領域３１Ａには３．９×１０-3ｇｆ・ｃｍ2／本の曲げ剛性値を有する人工毛髪を植設する。内側の調整領域３１Ｃには、３．９×１０-3ｇｆ・ｃｍ2／本の曲げ剛性値を有する人工毛髪と５．２×１０-3ｇｆ・ｃｍ2／本の曲げ剛性値を有する人工毛髪とを質量比で半々に混ぜて均等に分布させて植設する。さらに内側の天頂部３１ｅの領域３１Ｂには５．２×１０-3ｇｆ・ｃｍ2／本の曲げ剛性値を有する人工毛髪を植設する。
第１２形態は第１１形態と異なり、天頂部３１ｅの領域３１Ｂに植設される毛髪の曲げ剛性値が第１１形態と比べて低く、かつらに植設した毛髪全体を天然毛髪の曲げ剛性値より低く設定しているので、比較的柔らかい髪質の装着者に適している。即ち、曲げ剛性値が、約３．１〜４．７×１０-3ｇｆ・ｃｍ2／本の自毛を有する使用者に適している。【００９７】
かつらベース３１に対する毛髪の植設パターンの第１３形態を説明する。第１１形態と異なる点は、第１２形態とは逆に、かつらベース３１の天頂部３１ｅの領域３１Ｂに植設される毛髪及び調整領域３１Ｃに混ぜて植設される毛髪の剛性を強めた点である。毛髪が鞘／芯構造のポリアミド繊維でなる点は第１１形態と同様である。かつらベース３１の全周縁領域３１Ａには３．９×１０-3ｇｆ・ｃｍ2／本の曲げ剛性値の人工毛髪を植設する。内側の調整領域３１Ｃには、５．２×１０-3ｇｆ・ｃｍ2／本の曲げ剛性値の人工毛髪と６．５×１０-3ｇｆ・ｃｍ2／本の曲げ剛性値の人工毛髪とを質量比で半々に混ぜて均等に分布させて植設する。内側の天頂部３１ｅの領域３１Ｂには６．５×１０-3ｇｆ・ｃｍ2／本の曲げ剛性値の人工毛髪を植設する。
第１１形態と異なり、天頂部３１ｅに植設される毛髪の曲げ剛性値を第１１形態と比べて高くし、天然毛髪との格差を大きくして、ボリューム感やゴアゴア感を持たせることができ、今までなし得なかった、例えば髪が立ったヘアスタイルを形成することができる。よって、ボリューム感のあるヘアスタイルを要求する装着者の場合に適している。第１３形態のかつらは、装着者の自毛の曲げ剛性値が約３．４〜４．４×１０-3ｇｆ・ｃｍ2／本の場合を想定している。【００９８】
以上の第１１乃至第１３形態では、トップ装着型のかつらにおいて領域毎に曲げ剛性値の異なる毛髪を植設する場合を示しているが、前述したように、フロント隠蔽型のかつらにおける第５乃至第８形態のように、かつらベース３１に植設される毛髪として、鞘／芯構造のポリアミド系繊維でなる第１の人工毛髪とポリエステル系繊維でなる第２の人工毛髪とを用いてもよい。また、第１１乃至第１３形態の各場合においてさらに５つの領域毎にカール径及び／又は長さが異なる毛髪を植設するようにしてもよい。以下、第１４形態及び第１５形態として、第１１形態で更に各部位毎にカール径及び長さが定められた毛髪を植設した例を説明するが、曲げ剛性値はかつらベースの領域によらずほぼ同一であり、カール径及び／又は長さが異なるようにしてもよい。【００９９】
かつらベース３１に対する毛髪の植設パターンの第１４形態を説明する。図２１は、植設パターンの第１４形態におけるかつらベース３１に植設する毛髪の特性を示す図表である。第１４形態では、かつらベース３１が所定の曲げ剛性値の毛髪を植設するための領域区分と、所定のカール径及び／又は長さの毛髪を植設するための領域区分とが別々に異なって定められている。即ち、天頂部３１ｅである主要領域３１Ｂには、カール径が３０ｍｍ、長さが１８ｃｍ、曲げ剛性値が６．５×１０-3ｇｆ・ｃｍ2／本である毛髪を植設する。全周縁領域３１Ａで前頭部３１ａの領域には、カール径が３０ｍｍ、長さが１５ｃｍ、曲げ剛性値が３．９×１０-3ｇｆ・ｃｍ2／本である毛髪を植設する。全周縁領域３１Ａで左右の側頭部３１ｂ，３１ｃの領域には、カール径が３５ｍｍ、長さが２０ｃｍ、曲げ剛性値が３．９×１０-3ｇｆ・ｃｍ2／本である毛髪を植設する。全周縁領域３１Ａで後頭部３１ｄの領域には、カール径が４５ｍｍ、長さが３０ｃｍ、曲げ剛性値が３．９×１０-3ｇｆ・ｃｍ2／本である毛髪を植設する。調整領域３１Ｃで前頭部３１ａの領域には、カール径が３０ｍｍ、長さが１５ｃｍ、曲げ剛性値が３．９×１０-3ｇｆ・ｃｍ2／本である毛髪とカール径が３０ｍｍ、長さが１５ｃｍ、曲げ剛性値が６．５×１０-3ｇｆ・ｃｍ2／本である毛髪とを質量比で半々に混ぜて植設する。調整領域３１Ｃで左右の側頭部３１ｂ，３１ｃの領域には、カール径が３５ｍｍ、長さが２０ｃｍ、曲げ剛性値が３．９×１０-3ｇｆ・ｃｍ2／本である毛髪とカール径が３５ｍｍ、長さが２０ｃｍ、曲げ剛性値が６．５×１０-3ｇｆ・ｃｍ2／本である毛髪とを質量比で半々に混ぜて植設する。調整領域３１Ｃで後頭部３１ｄの領域には、カール径が４５ｍｍ、長さが３０ｃｍ、曲げ剛性値が３．９×１０-3ｇｆ・ｃｍ2／本である毛髪とカール径が４５ｍｍ、長さが３０ｃｍ、曲げ剛性値が６．５×１０-3ｇｆ・ｃｍ2／本である毛髪とを質量比で半々に混ぜて植設する。【０１００】
かつらベース３１に対する毛髪の植設パターンの第１５形態を説明する。図２２は、植設パターンの第１５形態におけるかつらベース３１に植設する毛髪の特性を示す図表である。第１５形態では、第１４形態と同様、かつらベース３１が所定の曲げ剛性値の毛髪を植設するための領域区分と、所定のカール径及び／又は長さの毛髪を植設するための領域区分とが別々に異なって定められている。即ち、天頂部３１ｅである主要領域３１Ｂには、カール径が４０ｍｍ、長さが２５ｃｍ、曲げ剛性値が６．５×１０-3ｇｆ・ｃｍ2／本である毛髪を植設する。全周縁領域３１Ａで前頭部３１ａの領域には、カール径が３５ｍｍ、長さが２０ｃｍ、曲げ剛性値が３．９×１０-3ｇｆ・ｃｍ2／本である毛髪を植設する。全周縁領域３１Ａで左右の側頭部３１ｂ，３１ｃの領域には、カール径が４５ｍｍ、長さが３０ｃｍ、曲げ剛性値が３．９×１０-3ｇｆ・ｃｍ2／本である毛髪を植設する。全周縁領域３１Ａで後頭部３１ｄの領域には、カール径が６０ｍｍ、長さが３５ｃｍ、曲げ剛性値が３．９×１０-3ｇｆ・ｃｍ2／本である毛髪を植設する。調整領域３１Ｃで前頭部３１ａの領域には、カール径が３５ｍｍ、長さが２０ｃｍ、曲げ剛性値が３．９×１０-3ｇｆ・ｃｍ2／本である毛髪とカール径が３５ｍｍ、長さが２０ｃｍ、曲げ剛性値が６．５×１０-3ｇｆ・ｃｍ2／本である毛髪とを質量比で半々に混ぜて植設する。調整領域３１Ｃで左右の側頭部３１ｂ，３１ｃの領域には、カール径が４５ｍｍ、長さが３０ｃｍ、曲げ剛性値が３．９×１０-3ｇｆ・ｃｍ2／本である毛髪とカール径が４５ｍｍ、長さが３０ｃｍ、曲げ剛性値が６．５×１０-3ｇｆ・ｃｍ2／本である毛髪とを質量比で半々に混ぜて植設する。調整領域３１Ｃで後頭部３１ｄの領域には、カール径が６０ｍｍ、長さが３５ｃｍ、曲げ剛性値が３．９×１０-3ｇｆ・ｃｍ2／本である毛髪とカール径が６０ｍｍ、長さが３５ｃｍ、曲げ剛性値が６．５×１０-3ｇｆ・ｃｍ2／本である毛髪とを質量比で半々に混ぜて植設する。【０１０１】
第１４形態及び第１５形態として、第１１形態で更に各部位毎にカール径及び長さが定められた毛髪を植設した例を説明したが、第１２形態及び第１３形態でも同様に各部位毎にカール径及び長さが定められた毛髪を植設してかつらを構成してもよい。【０１０２】
このように、かつらベース１１，３１の天頂部１１ｃ，３１ｅの領域に曲げ剛性値の高い毛髪を植設することが可能になるので、植毛作業の際、毛髪の根元近傍に細かい間隔で波形をつける、所謂クリンピング加工を行なって植設後の毛髪が立ち上がるようにする必要がないし、クリンピング加工による縮れ毛とならず、外観を損うこともない。また、かつらベース１１，３１に植設する毛髪の密度を大きくする必要もないことから、ヘアスタイルの外観そのものが変化することもない。【０１０３】
以上説明した植設パターンに限らず、特許請求の範囲に記載した発明の範囲内で適宜、変更が可能である。例えば、かつらベースに植設する毛髪の領域に応じて、毛髪の曲げ剛性値のみならず、毛髪の長さや太さ、色その他毛髪に付されるカールの大きさなどを調整し、かつら装着を露呈することなく装着者の好みのヘアスタイルを形成することができる。
【図１】
0005166234.tif 000006
【図２】
0005166234.tif 000007
【図３】
0005166234.tif 000008
【図４】
0005166234.tif 000009
【図５】
0005166234.tif 000010
【図６】
0005166234.tif 000011
【図７】
0005166234.tif 000012
【図８】
0005166234.tif 000013
【図９】
0005166234.tif 000014
【図１０】
0005166234.tif 000015
【図１１】
0005166234.tif 000016
【図１２】
0005166234.tif 000017
【図１３】
0005166234.tif 000018
【図１４】
0005166234.tif 000019
【図１５】
0005166234.tif 000020
【図１６】
0005166234.tif 000021
【図１７】
0005166234.tif 000022
【図１８】
0005166234.tif 000023
【図１９】
0005166234.tif 000024
【図２０】
0005166234.tif 000025
【図２１】
0005166234.tif 000026
【図２２】
0005166234.tif 000027